(57)【特許請求の範囲】
【請求項１】
内表面および外表面を有するとともに中央通路を区画しており、ユーザの身体の一部分が前記中央通路に受け入れられるように、前記ユーザの身体に装着されるように構成されており、かつ布材料の第１の層と第２の層を備えている管状体と、
ポリマー材料で形成されるとともに、その一部が前記第１の層と前記第２の層の間に受容されるように前記管状体に接続されており、空洞および前記空洞へのアクセスを提供するアクセス開口部を区画しており、前記アクセス開口部を通して前記空洞に電子モジュールを取り外し可能に受け入れるように構成されている筐体と、
を備えており、
前記筐体が、前記空洞と連通しているスロットをさらに備えており、
前記スロットが、前記筐体から離れる水分を通過させることができるように構成されており、
前記スロットは、前記第１の層と前記第２の層の一方の内表面に対向している、
バンド。
【請求項２】
前記管状体は、頂端部および底端部を有しており、
前記管状体が前記ユーザの身体に装着されたときに前記頂端部が前記底端部の上方に位置するように、前記中央通路が前記頂端部と前記底端部との間に延在しており、
前記スロットは、前記底端部に最も近接して前記筐体の端部に位置している、
請求項１に記載のバンド。
【請求項３】
前記筐体は、前記筐体の前記端部から延在する２つの対向する側壁を有しており、
前記筐体は、前記側壁の一方に位置する第２のスロットをさらに備えている、
請求項２に記載のバンド。
【請求項４】
前記筐体は、前記筐体の前記端部から延在する２つの対向する側壁を有しており、
前記筐体は、前記側壁の一方に位置する追加のスロットをさらに備えている、
請求項２に記載のバンド。
【請求項５】
前記筐体は、前記空洞と連通しているセンサ開口部をさらに区画しており、
前記センサ開口部は、前記電子モジュールが前記空洞に受け入れられたとき、前記電子モジュールのセンサを前記ユーザの皮膚に近接して配置することができるように構成されている、
請求項１に記載のバンド。
【請求項６】
前記管状体は、頂端部および底端部を有しており、
前記管状体が前記ユーザの身体に装着されたとき、前記頂端部が前記底端部の上方に位置するように前記中央通路が前記頂端部と前記底端部との間に延在しており、
前記筐体は、前記頂端部と前記底端部との間の方向に延在する２つの側壁を含んでおり、
前記スロットは、前記側壁の一方に配置されている、
請求項１に記載のバンド。
【請求項７】
前記筐体は、細長く延びて第１の端部と第２の端部を有しており、
前記スロットは、前記筐体の前記第１の端部に位置している、
請求項１に記載のバンド。
【請求項８】
前記スロットは、前記管状体の外側に位置する前記第１の層と前記第２の層の一方の内表面と対向している、
請求項１に記載のバンド。
【請求項９】
パフォーマンス監視システムであって、
内表面および外表面を有するとともに中央通路を区画しており、かつ布材料の第１の層と第２の層を備えている管状体、およびポリマー材料で形成されるとともに、その一部が前記第１の層と前記第２の層の間に受容されるように前記管状体に接続される筐体とを備えており、ユーザの身体の一部分が前記中央通路に受け入れられるように前記ユーザの身体に装着されるように構成されており、前記筐体が空洞および前記空洞へのアクセスを提供するアクセス開口部を区画し、前記筐体が前記空洞と連通しているスロットをさらに備えており、前記スロットが前記筐体から離して水分を通過させることができるように構成されており、前記スロットが前記第１の層と前記第２の層の一方の内表面に対向しているバンドと、
前記アクセス開口部を通して挿抜可能に前記空洞に受け入れられるように構成されており、前記ユーザの身体の生理学的パラメータを検知するように構成されたセンサを備えている電子モジュールと、
を備えている、
パフォーマンス監視システム。
【請求項１０】
前記筐体は、前記空洞と連通しているセンサ開口部をさらに区画しており、
前記電子モジュールは、その下側に突起を備えており、
前記センサは、前記突起上に載置されており、
前記突起は、前記センサ開口部を通って延在しており、
前記センサは、前記ユーザの身体の皮膚に近接して配置されて前記ユーザの身体の前記生理学的パラメータを検知するように構成されている、
請求項９に記載のパフォーマンス監視システム。
【請求項１１】
前記管状体は、頂端部および底端部を有しており、
前記バンドが前記ユーザの身体に装着されたときに前記頂端部が前記底端部の上方に位置するように、前記中央通路が前記頂端部と前記底端部との間に延在しており、
前記スロットは、前記底端部に最も近接して前記筐体の端部に位置している、
請求項９に記載のパフォーマンス監視システム。
【請求項１２】
前記筐体は、前記筐体の前記端部から延在する２つの対向する側壁を有しており、
前記筐体は、前記側壁の一方に位置する第２のスロットをさらに備えている、
請求項１１に記載のパフォーマンス監視システム。
【請求項１３】
前記筐体は、前記筐体の前記端部から延在する２つの対向する側壁を有しており、
前記筐体は、前記側壁の一方に位置する追加のスロットをさらに備えている、
請求項１１に記載のパフォーマンス監視システム。
【請求項１４】
前記管状体は、頂端部および底端部を有しており、
前記バンドが前記ユーザの身体に装着されたときに前記頂端部が前記底端部の上方に位置するように、前記中央通路が前記頂端部と前記底端部との間に延在しており、
前記筐体は、前記頂端部と前記底端部との間の方向に延在する２つの側壁を含んでおり、
前記スロットは、前記側壁の一方に配置されている、
請求項９に記載のパフォーマンス監視システム。
【請求項１５】
前記筐体は、細長く延びて第１の端部と第２の端部を有しており、
前記スロットは、前記筐体の前記第１の端部に位置している、
請求項９に記載のパフォーマンス監視システム。
【請求項１６】
前記スロットは、前記管状体の外側に位置する前記第１の層と前記第２の層の一方の内表面と対向している、
請求項９に記載のパフォーマンス監視システム。
【請求項１７】
前記中央通路は、前記管状体の第１の端部とこれに対向する第２の端部との間を当該管状体の軸線方向に延在しており、
前記第１の端部と前記第２の端部との間に区画される傾斜が０〜０．７５である、
請求項１に記載のバンド。
【請求項１８】
前記管状体の前記傾斜が０〜０．５である、
請求項１７に記載のバンド。
【請求項１９】
前記管状体の前記傾斜が０〜０．３である、
請求項１７に記載のバンド。
【請求項２０】
前記管状体の前記傾斜が０〜０．１５である、
請求項１７に記載のバンド。
【請求項２１】
前記管状体の前記傾斜が、前記第１の端部から前記第２の端部まで一定である、
請求項１７に記載のバンド。
【請求項２２】
前記第１の端部は、前記管状体が前記ユーザの身体に装着されたときに前記第２の端部の上方に位置付けられるように構成されており、
前記中央通路が、前記第２の端部よりも前記第１の端部においてより大きい、
請求項１７に記載のバンド。
【請求項２３】
前記中央通路は、前記管状体の第１の端部とこれに対向する第２の端部との間を当該管状体の軸線方向に延在しており、
前記第１の端部と前記第２の端部との間に区画される傾斜が０〜０．７５である、
請求項９に記載のパフォーマンス監視システム。
【請求項２４】
前記管状体の前記傾斜が０〜０．５である、
請求項２３に記載のパフォーマンス監視システム。
【請求項２５】
前記管状体の前記傾斜が０〜０．３である、
請求項２３に記載のパフォーマンス監視システム。
【請求項２６】
前記管状体の前記傾斜が０〜０．１５である、
請求項２３に記載のパフォーマンス監視システム。
【請求項２７】
前記管状体の前記傾斜が、前記第１の端部から前記第２の端部まで一定である、
請求項２３に記載のパフォーマンス監視システム。
【請求項２８】
前記第１の端部は、前記管状体が前記ユーザの身体に装着されたときに前記第２の端部の上方に位置付けられるように構成されており、
前記中央通路が、前記第２の端部よりも前記第１の端部においてより大きい、
請求項２３に記載のパフォーマンス監視システム。
【発明の詳細な説明】
【技術分野】
【０００１】
（関連出願の相互参照）
本願は、２０１４年１１月１９日出願の米国仮出願第６２／０８２，１１３号、２０１５年１月７日出願の米国仮出願第６２／１００，７８２号、２０１５年４月１０日出願の米国仮出願第６２／１４６，０２９号、２０１５年５月２９日出願の米国仮出願第６２／１６８，３５７号、２０１５年５月２９日出願の米国仮出願第６２／１６８，５０２号、および２０１５年９月８日出願の米国仮出願第６２／２１５，４９７号の非仮出願であり、それらに対する優先権を主張し、先行出願は、参照により本明細書に組み込まれ、かつ本明細書の一部を構成する。
【０００２】
（発明の分野）
本発明は、衣料に関する。本開示の態様は、より具体的には、衣料品内で保持されるが、それでもなお機能可能であり、衣料品の外側から部分的に見えてもよい電子デバイスを組み込む、衣料品に関する。
【背景技術】
【０００３】
ランニングなどの身体的活動に取り組むとき、アスリートは、その活動に対する集中力を維持したい。多くのモバイルデバイスは、運動またはフィットネス関連情報を提供する「アプリケーション」またはモジュールを含むように更新され得るが、それらは多くの場合、激しい身体的活動に関与するアスリートを含む、多くのアスリートにとって効果がない。携帯電話または音楽プレーヤなどの電子デバイスをポケットから取り出して、そのデバイスを操作することは、アスリートにとって気が散ることであり得る。加えて、アスリートは、デバイスをポケットから取り出すか、または元に戻すために手探りしている間にデバイスを落とす可能性がある。さらに、プロ、セミプロ、およびリーグ選手を含むがこれらに限定されない多くのアスリートは、ルールおよび規制によって束縛され、それらは、試合またはトーナメント中にアスリートによって装着される用具を大いに制限し得る。残念なことに、過去に許容された衣料は、運動検知デバイスの確実な受信状態を可能にするように設計されなかった。本開示は、従来技術のこれらおよび他の欠点に対処する。
【発明の概要】
【課題を解決するための手段】
【０００４】
本開示の態様は、電子モジュールを保持するように構成されているアームバンド、リストバンド、シャツ、またはジャケットなどの衣料品を含む。衣料品は、電子モジュールの挿入および取り外しを可能にするための開口部を有するポケットを有する。
【０００５】
本開示の態様は、内表面および外表面を有するとともに中央通路を区画し、ユーザの身体の一部分が中央通路に受け入れられるように、ユーザの身体に装着されるように構成されている管状体と、ポリマー材料で形成されるとともに管状体に接続される筐体とを含む、バンドに関する。筐体は、空洞および空洞へのアクセスを提供するアクセス開口部を区画し、筐体は、アクセス開口部を通して空洞に電子モジュールを取り外し可能に受け入れるように構成されている。筐体は、空洞と連通しているスロットをさらに含み、スロットは、筐体から離して水分を通過させることができるように構成されている。
【０００６】
１つの態様によれば、管状体は頂端部および底端部を有し、管状体がユーザの身体に装着されたとき、頂端部が底端部の上方に位置するように構成されるように、中央通路が頂端部と底端部との間に延在し、スロットは、底端部に最も近接して筐体の端部に位置する。筐体は、筐体の端部から延在する２つの対向する側壁を有してもよく、その場合、筐体は側壁の一方に位置する第２のスロットをさらに含む。筐体はまた、筐体の端部から延在する２つの対向する側壁を有してもよく、その場合、筐体は側壁それぞれに位置する追加のスロットをさらに含む。
【０００７】
別の態様によれば、筐体は、空洞と連通しているセンサ開口部をさらに区画し、センサ開口部は、電子モジュールが空洞に受け入れられたとき、電子モジュールのセンサをユーザの皮膚に近接して配置することができるように構成されている。
【０００８】
更なる態様によれば、管状体は頂端部および底端部を有し、環状体がユーザの身体に装着されたとき、頂端部が底端部の上方に位置するように構成されるように、中央通路が頂端部と底端部との間を延在する。筐体は、頂端部と底端部との間の方向に延在する２つの側壁を含み、スロットは側壁の一方に配置される。
【０００９】
さらに別の態様によれば、筐体は第１の端部と第２の端部との間を細長く延び、スロットは筐体の第１の端部に位置する。
【００１０】
更なる別の態様によれば、筐体は管状体の少なくとも部分的に内部に載置され、スロットは管状体の内表面と向かい合う。
【００１１】
追加の態様によれば、管状体は、内表面を少なくとも部分的に区画する内側部分と、外表面を少なくとも部分的に区画する外側部分とを有し、内側部分および外側部分はそれぞれ弾性布地材料の層を含む。筐体の少なくとも一部分は内側部分と外側部分との間に位置付けられ、スロットは、内側部分または外側部分の内表面と対向する。
【００１２】
本開示の追加の態様は、少なくとも部分的に弾性布地材料で形成され、第１の端部と第２の対向する端部との間に軸線方向に延在する中央通路を区画する管状体を含み、管状体は、ユーザの身体の一部分が中央通路に受け入れられるように、ユーザの身体に装着されるように構成されている、バンドに関する。第１の端部と第２の端部との間に区画される管状体の傾斜は、０〜０．７５である。バンドはまた、管状体によって支持されたポケットを含み、ポケットは、空洞を区画し、空洞へのアクセスを提供するアクセス開口部を有し、ポケットは、アクセス開口部を通して空洞に電子モジュールを取り外し可能に受け入れるように構成されている。
【００１３】
１つの態様によれば、管状体の傾斜は、０〜０．５、または０〜０．３、または０〜０．１５である。
【００１４】
別の態様によれば、管状体の傾斜は、第１の端部から第２の端部まで一定である（即ち、直線、および／または実質的に傾斜のばらつきがない）。
【００１５】
更なる態様によれば、管状体の第１の端部は、管状体がユーザの身体に装着されたときに第２の端部の上方に位置付けられるように構成されており、中央通路は、第２の端部におけるよりも第１の端部においてより大きい。
【００１６】
本開示の更なる態様は、上述したような態様によるバンドを含み、電子モジュールがアクセス開口部を通して空洞に挿入され、また空洞から除去されるように、電子モジュールがバンドの空洞に受け入れられ、電子モジュールが、ユーザの身体の生理学的パラメータを検知するように構成されているセンサを備える、パフォーマンス監視システムに関する。システムは、本明細書に記載するようなバンドの任意の特徴および態様を含んでもよい。
【００１７】
他の本開示の態様は、上記の特徴のうちの任意の特徴または組み合わせを含んでもよい。
【００１８】
本開示のなお更なる特徴および利点は、以下の図面と併せて以下の明細書から明らかになるであろう。
【図面の簡単な説明】
【００１９】
【図１】例示の実施形態に従った、パーソナルトレーニングを提供するように、かつ／またはユーザの身体的動作からのデータを得るように構成されてもよい、例示のシステムを示す。
【図２】図１のシステムの一部であっても、またはそれと通信していてもよい例示のコンピュータデバイスを示す。
【図３】例示の実施形態に従った、ユーザによって装着されてもよい例示のセンサアセンブリを示す。
【図４】例示の実施形態に従った、ユーザによって装着されてもよい別の例示のセンサアセンブリを示す。
【図５】ユーザの衣服上／中に位置する身体センサを含んでもよく、かつ／またはユーザの２つの動いている身体部分の間の関係の識別に基づいてもよい感覚入力のための例示の位置を示す。
【図６】異なる動作に基づき、センサの出力の平均と異なるエクササイズを比較するチャートを示す。
【図７】ある特定の実施形態に従った、心拍数測定プロトコルの作成および修正で利用され得るフローチャートである。
【図８】本明細書に開示される様々な実施例に従った、全集団サンプル中のパフォーマンススコアとボディマス指数（ＢＭＩ）とを相関付けるチャートである。
【図９】本明細書に開示される様々な実施例に従った、図８の集団サンプルの男性個人間のパフォーマンススコアとＢＭＩとを相関付けるチャートである。
【図１０】本明細書に開示される様々な実施例に従った、図８の集団サンプルの女性個人間のパフォーマンススコアとＢＭＩとを相関付けるチャートである。
【図１１】本開示の態様に従ったバンドの一実施形態の斜視図である。
【図１２】図１１のバンドの上面図である。
【図１３Ａ】裏返しにされた、本開示の態様に従ったバンドの別の実施形態の斜視図である。
【図１３Ｂ】裏返しにされた、本開示の態様に従ったバンドの別の実施形態の斜視図である。
【図１４】本開示の態様に従ったバンドの別の実施形態の上面図である。
【図１５Ａ】本開示の態様に従ったバンドの別の実施形態の斜視図および側面図である。
【図１５Ｂ】本開示の態様に従ったバンドの別の実施形態の斜視図および側面図である。
【図１６】本開示の態様に従ったバンドの２つの更なる実施形態の２つの断面図を示す。
【図１７】本開示の態様に従ったバンドの別の実施形態の上面図および側面図である。
【図１８】本開示の態様に従ったバンドを製造するための構成要素の上面図である。
【図１９】本開示の態様に従ったバンドを製造するための構成要素の上面図である。
【図２０】本開示の態様に従ったバンドを製造するための構成要素の上面図である。
【図２１】本開示の態様に従ったバンドを製造するための構成要素の上面図である。
【図２２】本開示の態様に従ったバンドを製造するための構成要素の上面図である。
【図２３】本開示の態様に従ったバンドを製造するための構成要素の上面図である。
【図２４】本開示の態様に従ったバンドを製造するための構成要素の上面図である。
【図２５】本開示の態様に従ったバンドを製造するための構成要素の上面図である。
【図２６】本開示の態様に従ったバンドを製造するための構成要素の上面図である。
【図２７】本開示の態様に従ったバンドを製造するための構成要素の上面図である。
【図２８】本開示の態様に従ったバンドを製造するための構成要素の上面図である。
【図２９】本開示の態様に従ったバンドを製造するための構成要素の上面図である。
【図３０】本開示の態様に従ったバンドを製造するための構成要素の上面図である。
【図３１】図１８〜３０の構成要素を使用して、本開示の態様に従ったバンドを製造する方法を概略的に示す平面図である。
【図３２】図１８〜３０の構成要素を使用して、本開示の態様に従ったバンドを製造する方法を概略的に示す平面図である。
【図３３】図１８〜３０の構成要素を使用して、本開示の態様に従ったバンドを製造する方法を概略的に示す平面図である。
【図３４】図１８〜３０の構成要素を使用して、本開示の態様に従ったバンドを製造する方法を概略的に示す平面図である。
【図３５】図１８〜３０の構成要素を使用して、本開示の態様に従ったバンドを製造する方法を概略的に示す平面図である。
【図３６】図１８〜３０の構成要素を使用して、本開示の態様に従ったバンドを製造する方法を概略的に示す平面図である。
【図３７】図１８〜３０の構成要素を使用して、本開示の態様に従ったバンドを製造する方法を概略的に示す平面図である。
【図３８】図１８〜３０の構成要素を使用して、本開示の態様に従ったバンドを製造する方法を概略的に示す平面図である。
【図３９Ａ】本開示の態様に従ったバンドの別の実施形態の上面図および側面図である。
【図３９Ｂ】本開示の態様に従ったバンドの別の実施形態の上面図および側面図である。
【図４０Ａ】本開示の態様に従ったバンドの別の実施形態の上面図であり、幾つかの構成要素はバンドの製造で使用される。
【図４０Ｂ】本開示の態様に従ったバンドの別の実施形態の上面図であり、幾つかの構成要素はバンドの製造で使用される。
【図４１】本開示の態様に従ったモジュールの一実施形態の上面斜視図および底面斜視図を示す。
【図４２】本開示の態様に従ったモジュールの別の実施形態の上面図である。
【図４３】本開示の態様に従ったモジュールの別の実施形態の、左から右の順番に、底面斜視図、上面斜視図、上面図、および底面図を示す。
【図４４】本開示の態様に従ったモジュールの別の実施形態の、左から右の順番に、底面斜視図、上面斜視図、上面図、および底面図を示す。
【図４５】本開示の態様に従ったモジュールの別の実施形態の、左から右の順番に、底面斜視図、上面斜視図、上面図、および底面図を示す。
【図４６】本開示の態様に従ったモジュールの別の実施形態の、左から右の順番に、上面斜視図および底面斜視図を示す。
【図４７】本開示の態様に従ったモジュールの別の実施形態の、左から右の順番に、上面斜視図および底面斜視図を示す。
【図４８】本開示の態様に従ったモジュールの別の実施形態の、左から右の順番に、上面斜視図および底面斜視図を示す。
【図４９】本開示の態様に従ったモジュールの別の実施形態の、左から右の順番に、上面斜視図および底面斜視図を示す。
【図５０】本開示の態様に従ったモジュールの別の実施形態の、左から右の順番に、上面斜視図および底面斜視図を示す。
【図５１】本開示の態様に従ったモジュールの別の実施形態の、左から右の順番に、上面斜視図および底面斜視図を示す。
【図５２】本開示の態様に従ったモジュールの別の実施形態の、左から右の順番に、上面斜視図および底面斜視図を示す。
【図５３】本開示の態様に従ったモジュールの別の実施形態の、左から右の順番に、上面斜視図および底面斜視図を示す。
【図５４】本開示の態様に従ったモジュールの別の実施形態の、左から右の順番に、上面斜視図および底面斜視図を示す。
【図５５】本開示の態様に従ったモジュールの別の実施形態の、左から右の順番に、上面斜視図および底面斜視図を示す。
【図５６】本開示の態様に従ったモジュールの別の実施形態の、左から右の順番に、上面斜視図および底面斜視図を示す。
【図５７】本開示の態様に従ったモジュールの別の実施形態の上面斜視図である。
【図５８】本開示の態様に従ったモジュールの別の実施形態の上面斜視図である。
【図５９】図５８のモジュールの正面図である。
【図６０】本開示の態様に従ったモジュールの別の実施形態の上面斜視図である。
【図６１】図６０のモジュールの底面斜視図である。
【図６２】図６０のモジュールの側面図である。
【図６３】図６０のモジュールの底面斜視図であり、保持構造はモジュールに接続される。
【図６４】本開示の態様に従ったバンドを製造するための金型の一実施形態の斜視図である。
【図６５】縦軸に沿った図６４の金型の断面図である。
【図６６】横軸に沿った図６４の金型の断面図である。
【図６７】図６６に示される金型の一部分の拡大図である。
【図６８】本開示の態様に従ったバンドの別の実施形態の上面図である。
【図６９】裏返しにされた図６８のバンドの上面図である。
【図７０Ａ】裏返しにされた図６８のバンドの上面図である。
【図７０Ｂ】図６８のバンドの上面図である。
【図７０Ｃ】図６８のバンドの底面図である。
【図７１】図６８〜７０Ｃに示されるバンドを製造するための構成要素の上面図である。
【図７２】図６８〜７０Ｃに示されるバンドを製造するための構成要素の上面図である。
【図７３】図６８〜７０Ｃに示されるバンドを製造するための構成要素の上面図である。
【図７４】図６８〜７０Ｃに示されるバンドの筐体の上面図である。
【図７５】図７４の筐体の底面図である。
【図７６】図６８〜７０Ｃに示されるバンドを製造するための追加の構成要素の上面図である。
【図７７】図６８〜７０Ｃに示されるバンドを製造するための追加の構成要素の上面図である。
【図７８】図７４の筐体の側面図である。
【図７９】図７４の筐体の底面斜視図である。
【図８０】図７４の筐体の底面斜視図である。
【図８１】図７４の筐体の上面斜視図である。
【図８２】図７４の筐体の側面図である。
【図８３】図７１〜８２の構成要素および筐体を使用して、本開示の態様に従ったバンドを製造する方法を概略的に示す平面図である。
【図８４】図７１〜８２の構成要素および筐体を使用して、本開示の態様に従ったバンドを製造する方法を概略的に示す平面図である。
【図８５】図７１〜８２の構成要素および筐体を使用して、本開示の態様に従ったバンドを製造する方法を概略的に示す平面図である。
【図８６】図７１〜８２の構成要素および筐体を使用して、本開示の態様に従ったバンドを製造する方法を概略的に示す平面図である。
【図８７】図７１〜８２の構成要素および筐体を使用して、本開示の態様に従ったバンドを製造する方法を概略的に示す平面図である。
【図８８】図７１〜８２の構成要素および筐体を使用して、本開示の態様に従ったバンドを製造する方法を概略的に示す平面図である。
【図８９】図７１〜８２の構成要素および筐体を使用して、本開示の態様に従ったバンドを製造する方法を概略的に示す平面図である。
【図９０】図７１〜８２の構成要素および筐体を使用して、本開示の態様に従ったバンドを製造する方法を概略的に示す平面図である。
【図９１】図７１〜８２の構成要素および筐体を使用して、本開示の態様に従ったバンドを製造する方法を概略的に示す平面図である。
【図９２】本開示の態様に従ったバンドの別の実施形態の上面図であり、バンドの一部分は差し込み図でより詳細に示される。
【図９３】本開示の態様に従ったバンドの別の実施形態の上面図であり、バンドの一部分は差し込み図でより詳細に示される。
【図９４】図８３〜９１の方法に関連して使用可能である図７４の筐体とともに、本開示の態様に従ったバンドの一部分を熱プレスするための金型の一実施形態を概略的に示す斜視図である。
【図９５】操作中の図９４の金型の使用を概略的に示す斜視図である。
【図９６】バンドのある特定の物理的寸法を示す、本開示の態様に従ったバンドの別の実施形態の底面図である。
【図９６Ａ】バンドの傾斜の計算を示す、本開示の態様に従ったバンドの一実施形態の概略図である。
【図９７】本開示の態様に従ったバンドの製造で使用可能な筐体の別の実施形態の上面斜視図である。
【図９８】図９７の筐体の底面斜視図である。
【図９９】図９７の筐体の上面斜視図である。
【図１００】本開示の態様に従ったバンドの製造で使用可能な筐体の別の実施形態の底面斜視図である。
【図１０１】図１００の筐体の上面斜視図である。
【図１０２】本開示の態様に従ったバンドおよびモジュールに関連して使用可能である筐体および追加の入力デバイスの一実施形態の底面斜視図である。
【図１０３】図１０２の筐体および追加の入力デバイスの上面斜視図である。
【図１０４】本開示の態様に従ったバンドおよびモジュールに関連して使用可能である筐体および追加の入力デバイスの一実施形態の底面斜視図である。
【図１０５】図１０４の筐体および追加の入力デバイスの上面斜視図である。
【図１０６】図１０２の筐体および筐体に挿入されている図６０のモジュールの底面斜視図である。
【図１０７】追加の入力デバイスとモジュールとの間の接続を示す、本開示の態様に従った追加の入力デバイスおよびモジュールの別の実施形態の斜視図および分解斜視図である。
【図１０８】追加の入力デバイスとモジュールとの間の接続を示す、本開示の態様に従った追加の入力デバイスおよびモジュールの別の実施形態の斜視図および分解斜視図である。
【図１０９】本開示の態様に従ったバンドに接続された追加の入力デバイスを有する、バンドの一実施形態の斜視図である。
【図１１０】追加の入力デバイスに接続され、次いで、バンドに接続されているモジュールを示す、本開示の態様に従ったモジュール、追加の入力デバイス、およびバンドの別の実施形態の概略斜視図である。
【図１１１】追加の入力デバイスがバンドに接続され、バンドがユーザの腕に装着され、追加の入力デバイスが１つ以上の外部デバイスと通信している、バンドの別の実施形態を示す概略図である。
【図１１２】本開示の態様に従った外部デバイスおよび追加の入力デバイスに関連して使用され得る操作方法の一実施形態を示す、フローチャートである。
【図１１３】本開示の態様に従った外部デバイスおよび追加の入力デバイスに関連して使用され得る操作方法の別の実施形態を示す、フローチャートである。
【図１１４】本開示の態様に従った追加の入力デバイスと併せて操作される外部デバイスの表示器の一実施形態を示す。
【図１１５】本開示の態様に従った追加の入力デバイスと併せて操作される外部デバイスの表示器の別の実施形態を示す。
【発明を実施するための形態】
【００２０】
本開示の態様は、アスリートの身体的動作に関する運動データを取得、記憶、および／または処理することを伴う。運動データは、能動的若しくは受動的に検知され、かつ／または１つ以上の非一時的な記憶媒体に記憶されてもよい。なお更なる態様は、運動データを使用して、例えば、計算された運動属性、指導を提供するためのフィードバック信号、および／または他の情報などの出力を生成することに関する。これらおよび他の態様は、パーソナルトレーニングシステムの以下の説明に役立つ例との関連で考察される。
【００２１】
以下の様々な実施形態の説明において、添付図面が参照され、添付図面は本明細書の一部をなし、本開示の態様が実施され得る様々な実施形態の実例として示される。その他の実施形態を利用することができ、本開示の範囲および趣旨から逸脱することなく構造的変更および機能的変更を加えることができることを理解されたい。さらに、本開示内の見出しは、本開示の態様を制限するものと見なされるべきではなく、例示の実施形態は、例示の見出しに限定されない。
【００２２】
Ｉ．例示のパーソナルトレーニングシステム
Ａ．例示的なネットワーク
本開示の態様は、複数のネットワーク上で利用され得るシステムおよび方法に関する。この点で、ある特定の実施形態は、動的ネットワーク環境に適応するように構成されてもよい。更なる実施形態は、異なる別個のネットワーク環境において機能可能であってもよい。図１は、例示の実施形態に従ったパーソナルトレーニングシステム１００の一例を示す。例示のシステム１００は、例示的なボディエリアネットワーク（ＢＡＮ）１０２、ローカルエリアネットワーク（ＬＡＮ）１０４、およびワイドエリアネットワーク（ＷＡＮ）１０６などの１つ以上の相互接続されたネットワークを含んでもよい。図１に示されるように（かつ本開示全体を通して記載されるように）、１つ以上のネットワーク（例えば、ＢＡＮ  １０２、ＬＡＮ  １０４、および／またはＷＡＮ  １０６）が互いに重複するか、あるいは互いを含んでもよい。当業者は、例示的なネットワーク１０２〜１０６が、１つ以上の異なる通信プロトコルおよび／またはネットワークアーキテクチャをそれぞれ含んでもよく、それでもなお互いまたは他のネットワークへのゲートウェイを有するように構成されてもよい、論理ネットワークであることを理解するであろう。例えば、ＢＡＮ  １０２、ＬＡＮ  １０４、および／またはＷＡＮ  １０６のそれぞれは、セルラーネットワークアーキテクチャ１０８および／またはＷＡＮアーキテクチャ１１０などの同じ物理ネットワークアーキテクチャに機能的に接続されてもよい。例えば、ＢＡＮ  １０２およびＬＡＮ  １０４の両方の構成要素と見なされ得る携帯用電子デバイス１１２は、アーキテクチャ１０８および／または１１０のうちの１つ以上を通じて、伝送制御プロトコル（ＴＣＰ）、インターネットプロトコル（ＩＰ）、およびユーザデータグラムプロトコル（ＵＤＰ）などの１つ以上の通信プロトコルに従って、ネットワークメッセージへ／からデータおよび制御信号を変換するように構成された、ネットワークアダプタまたはネットワークインターフェイスカード（ＮＩＣ）を含んでもよい。これらのプロトコルは、当該技術分野において周知であり、したがって本明細書では詳細に議論しない。
【００２３】
ネットワークアーキテクチャ１０８および１１０は、例えば、ケーブル、ファイバ、衛星、電話機、セルラー、無線など、単独で、または組み合わせて（複数可）、任意の種類（複数可）またはトポロジー（複数可）の１つ以上の情報流通ネットワーク（複数可）を含んでもよく、したがって、１つ以上の有線または無線通信チャネル（ＷｉＦｉ（登録商標）、Ｂｌｕｅｔｏｏｔｈ（登録商標）、Ｎｅａｒ−Ｆｉｅｌｄ  Ｃｏｍｍｕｎｉｃａｔｉｏｎ（ＮＦＣ）および／またはＡＮＴテクノロジーを含むがこれらに限定されない）を有するように様々に構成されてもよい。したがって、図１のネットワーク内の任意のデバイス（携帯用電子デバイス１１２または本明細書に記載される任意の他のデバイスなど）が、異なる論理ネットワーク１０２〜１０６のうちの１つ以上に含まれると見なされてもよい。上記を考慮して、（ＷＡＮ  １０６に連結されてもよい）例示的なＢＡＮおよびＬＡＮの例示の構成要素が記載される。
【００２４】
１．例示のローカルエリアネットワーク
ＬＡＮ  １０４は、例えば、コンピュータデバイス１１４などの１つ以上の電子デバイスを含んでもよい。コンピュータデバイス１１４またはシステム１００の他の任意の構成要素は、電話機、音楽プレーヤ、タブレット、ネットブック、または任意の携帯用デバイスなどの移動端末を含んでもよい。他の実施形態では、コンピュータデバイス１１４は、例えば、Ｍｉｃｒｏｓｏｆｔ（登録商標）ＸＢＯＸ、Ｓｏｎｙ（登録商標）Ｐｌａｙｓｔａｔｉｏｎ、および／またはＮｉｎｔｅｎｄｏ（登録商標）Ｗｉｉゲームコンソールなどのメディアプレーヤまたはレコーダ、デスクトップコンピュータ、サーバ（複数可）、ゲームコンソールを含んでもよい。当業者は、これらが単に説明目的のための例示のデバイスであり、本開示がいかなるコンソールまたはコンピューティングデバイスにも限定されないことを理解するであろう。
【００２５】
当業者は、コンピュータデバイス１１４の設計および構造がその意図された目的などの幾つかの要因に応じて変化し得ることを理解するであろう。コンピュータデバイス１１４の１つの例示の実装が図２に提供され、それは、コンピューティングデバイス２００のブロック図を示す。当業者は、図２の開示が本明細書に開示される任意のデバイスに適用できることを理解するであろう。デバイス２００は、プロセッサ２０２−１および２０２−２（本明細書において一般的に「プロセッサ（複数）２０２」または「プロセッサ（単数）２０２」と称される）などの１つ以上のプロセッサを含んでもよい。プロセッサ２０２は、相互接続ネットワークまたはバス２０４を介して、互いまたは他の構成要素と通信してもよい。プロセッサ２０２は、コア２０６−１および２０６−２（本明細書において「コア（複数）２０６」またはより一般的に「コア（単数）２０６」と称される）などの１つ以上の処理コアを含んでもよく、それは、単一の集積回路（ＩＣ）チップ上に実装されてもよい。
【００２６】
コア２０６は、共有キャッシュ２０８および／または私用キャッシュ（例えば、それぞれキャッシュ２１０−１および２１０−２）を備えてもよい。１つ以上のキャッシュ２０８／２１０は、プロセッサ２０２の構成要素によるより高速なアクセスのために、メモリ２１２などのシステムメモリに記憶されたデータを局所的にキャッシュしてもよい。メモリ２１２は、チップセット２１６を介してプロセッサ２０２と通信していてもよい。キャッシュ２０８は、ある特定の実施形態においてシステムメモリ２１２の一部であってもよい。メモリ２１２としては、ランダムアクセスメモリ（ＲＡＭ）、リードオンリーメモリ（ＲＯＭ）が挙げられ得るがこれらに限定されず、電子情報を記憶するために使用され得るソリッドステートメモリ、光若しくは磁気記憶装置、および／または任意の他の媒体のうちの１つ以上を含む。さらに他の実施形態は、システムメモリ２１２を省略してもよい。
【００２７】
システム２００は、１つ以上のＩ／Ｏデバイス（例えば、Ｉ／Ｏデバイス２１４−１〜２１４−３であり、それぞれ一般的にＩ／Ｏデバイス２１４と称される）を含んでもよい。１つ以上のＩ／Ｏデバイス２１４からのＩ／Ｏデータは、１つ以上のキャッシュ２０８、２１０、および／またはシステムメモリ２１２に記憶されてもよい。Ｉ／Ｏデバイス２１４のそれぞれは、任意の物理または無線通信プロトコルを使用して、システム１００の構成要素と機能的に通信しているように永久的または一時的に構成されてもよい。
【００２８】
図１に戻ると、４つの例示のＩ／Ｏデバイス（要素１１６〜１２２として示される）が、コンピュータデバイス１１４と通信しているものとして示される。当業者は、デバイス１１６〜１２２のうちの１つ以上が独立型デバイスであってもよく、またはコンピュータデバイス１１４以外の別のデバイスと関連付けられてもよいことを理解するであろう。例えば、１つ以上のＩ／ＯデバイスがＢＡＮ  １０２および／またはＷＡＮ  １０６の構成要素と関連付けられ得るか、または相互作用し得る。Ｉ／Ｏデバイス１１６〜１２２としては、例えば、センサなどの運動データ取得ユニットが挙げられ得るがこれらに限定されない。１つ以上のＩ／Ｏデバイスが、ユーザ１２４などのユーザからの運動パラメータを検知、検出、および／または測定するように構成されてもよい。例としては、特に、加速度計、ジャイロスコープ、位置判定デバイス（例えば、ＧＰＳ）、光（非可視光を含む）センサ、温度センサ（周囲温度および／若しくは体温を含む）、睡眠パターンセンサ、心拍モニタ、画像取り込みセンサ、水分センサ、力センサ、コンパス、角速度センサ、並びに／またはこれらの組み合わせが挙げられるがこれらに限定されない。
【００２９】
更なる実施形態では、Ｉ／Ｏデバイス１１６〜１２２は、出力（例えば、聴覚、視覚、若しくは触覚キュー）を提供し、かつ／またはアスリート１２４からのユーザ入力などの入力を受信するために使用されてもよい。これらの例示的なＩ／Ｏデバイスに関する例示の使用は以下に提供されるが、当業者は、そのような考察が単に本開示の範囲内の多くの選択肢の幾つかの説明であることを理解するであろう。さらに、任意のデータ取得ユニット、Ｉ／Ｏデバイス、またはセンサへの言及は、本明細書に開示されるか、または当該技術分野において既知の１つ以上のＩ／Ｏデバイス、データ取得ユニット、および／またはセンサを（個々に、または組み合わせてのいずれかで）有してもよい一実施形態を開示すると解釈されるものである。
【００３０】
１つ以上のデバイスからの情報（１つ以上のネットワーク上での）は、他に対するある特定の身体の部分若しくは物体の速度、加速度、距離、進んだ歩数、方向、相対的な動作、または角速度、直線速度、若しくはこれらの組み合わせとして表現されてもよい他の動きパラメータなどの動きパラメータ、カロリー、心拍数、汗検出、加える力、酸素消費量、酸素反応速度論などの生理学的パラメータ、並びに圧力、衝撃力、身長、体重、年齢、人口統計情報などのアスリートに関する情報、およびこれらの組み合わせなどの１つ以上の分類に入り得る他の測定基準が挙げられるがこれらに限定されない、様々な異なるパラメータ、測定基準、または生理学的特徴を提供するために使用され得る（またはそれらの形成で利用され得る）。
【００３１】
システム１００は、システム１００内で収集された、あるいはシステム１００に提供されたパラメータ、測定基準、または生理学的特徴を含む運動データを伝送および／または受信するように構成されてもよい。一例として、ＷＡＮ  １０６は、サーバ１１１を備えてもよい。サーバ１１１は、図２のシステム２００の１つ以上の構成要素を有してもよい。一実施形態では、サーバ１１１は、プロセッサ２０６およびメモリ２１２など、少なくともプロセッサおよびメモリを備える。サーバ１１１は、非一時的なコンピュータ読み取り可能媒体上にコンピュータ実行可能命令を記憶するように構成されてもよい。命令は、システム１００内で収集された生データまたは加工データなどの運動データを含んでもよい。システム１００は、ソーシャルネットワーキングウェブサイトにエネルギー消費ポイントなどのデータを伝送するか、またはそのようなサイトをホストするように構成されてもよい。サーバ１１１は、１人以上のユーザが運動データにアクセスし、かつ／または比較することを可能にするために利用されてもよい。したがって、サーバ１１１は、運動データまたは他の情報に基づいた通知を伝送および／または受信するように構成されてもよい。
【００３２】
ＬＡＮ  １０４に戻ると、コンピュータデバイス１１４が表示デバイス１１６、画像取り込みデバイス１１８、センサ１２０、およびエクササイズデバイス１２２と機能的に通信して示され、それらは、例示の実施形態を参照して以下で考察される。一実施形態では、表示デバイス１１６は、アスリート１２４が特定の運動動作を実施するための視聴覚キューを提供してもよい。視聴覚キューは、コンピュータデバイス１１４、またはＢＡＮ  １０２および／若しくはＷＡＮのデバイスを含む任意の他のデバイス上で実行されるコンピュータ実行可能命令に応答して提供されてもよい。表示デバイス１１６は、タッチスクリーンであってもよく、あるいはユーザ入力を受信するように構成されてもよい。
【００３３】
一実施形態では、データは、単独で、若しくは他のデバイスと組み合わせてのいずれかで、運動パラメータを検出（および／若しくは測定）するために使用されてもよい、画像取り込みデバイス１１８および／若しくはセンサ１２０などの他のセンサ、または記憶された情報から取得されてもよい。画像取り込みデバイス１１８および／またはセンサ１２０は、トランシーバデバイスを備えてもよい。一実施形態では、センサ１２８は、赤外線（ＩＲ）、電磁（ＥＭ）、または音響トランシーバを備えてもよい。例えば、画像取り込みデバイス１１８および／またはセンサ１２０は、アスリート１２４の方向に向かうことを含む環境に波形を伝送し、「反射」を受信する、あるいはそれらの放出された波形の変更を検出してもよい。当業者は、多数の異なるデータスペクトルに対応する信号が様々な実施形態に従って利用され得ることを容易に理解するであろう。この点で、デバイス１１８および／または１２０は、（例えば、システム１００でない）外部ソースから放射された波形を検出し得る。例えば、デバイス１１８および／または１２０は、ユーザ１２４および／または周囲環境から放射されている熱を検出し得る。このように、画像取り込みデバイス１２６および／またはセンサ１２８は、１つ以上の熱画像デバイスを備えてもよい。一実施形態では、画像取り込みデバイス１２６および／またはセンサ１２８は、範囲現象学（range phenomenology）を実施するように構成されたＩＲデバイスを備えてもよい。
【００３４】
一実施形態では、エクササイズデバイス１２２は、アスリート１２４が、例えば、トレッドミル、ステップマシンなどの身体的動作を実施するのを可能にするまたは促進するために構成可能な任意のデバイスであってもよい。そのデバイスが固定されている必要はない。この点で、無線技術は、携帯用デバイスが利用されることを可能にし、したがって、自転車または他のモバイルエクササイズデバイスが、ある特定の実施形態に従って利用され得る。当業者は、装置１２２が、コンピュータデバイス１１４から遠隔で実施される運動データを含む電子デバイスを受容するためのインターフェイスであってもよく、またはそれを備えてもよいことを理解するであろう。例えば、ユーザは、スポーツデバイス（ＢＡＮ  １０２に関連して以下に記載）を使用してもよく、自宅または装置１２２の位置に戻ると、運動データをシステム１００の要素１２２または任意の他のデバイスにダウンロードしてもよい。本明細書に開示される任意のＩ／Ｏデバイスが、活動データを受信するように構成されてもよい。
【００３５】
２．ボディエリアネットワーク
ＢＡＮ  １０２は、運動データを受信、伝送、あるいは運動データの収集を促進するように構成された２つ以上のデバイスを含んでもよい（受動デバイスを含む）。例示のデバイスは、１つ以上のデータ取得ユニット、センサ、またはＩ／Ｏデバイス１１６〜１２２が挙げられるがこれらに限定されない、当該技術分野において既知の、若しくは本明細書に開示されるデバイスを含んでもよい。ＢＡＮ  １０２の２つ以上の構成要素は、直接通信してもよいが、他の実施形態では、通信は、第３のデバイスを介して実施されてもよく、それは、ＢＡＮ  １０２、ＬＡＮ  １０４、および／またはＷＡＮ  １０６の一部であってもよい。ＬＡＮ  １０４またはＷＡＮ  １０６の１つ以上の構成要素は、ＢＡＮ  １０２の一部を形成してもよい。ある特定の実装では、携帯用デバイス１１２などのデバイスがＢＡＮ  １０２、ＬＡＮ  １０４、および／またはＷＡＮ  １０６の一部であるかどうかは、モバイルセルラーネットワークアーキテクチャ１０８および／またはＷＡＮアーキテクチャ１１０との通信を可能にするためのアクセス点へのアスリートの近接によって決まってもよい。ユーザの活動および／または選好もまた、１つ以上の構成要素がＢＡＮ  １０２の一部として利用されるかどうかに影響を及ぼし得る。例示の実施形態が以下に提供される。
【００３６】
ユーザ１２４は、携帯用デバイス１１２、靴取付型デバイス１２６、手首装着デバイス１２８、および／または情報を収集するために使用される物理的デバイス若しくは位置を含んでもよい検知位置１３０などの検知位置など、任意の数のデバイスと関連付けられてもよい（例えば、それらを所有する、携持する、装着する、かつ／またはそれらと相互作用してもよい）。１つ以上のデバイス１１２、１２６、１２８、および／または１３０は、フィットネスまたは運動目的で特別に設計されていない場合がある。実際、本開示の態様は、複数のデバイスからのデータを利用することに関し、それらの幾つかは運動データを収集、検出、および／または測定するためのフィットネスデバイスではない。ある特定の実施形態では、ＢＡＮ  １０２（または任意の他のネットワーク）の１つ以上のデバイスは、特定のスポーツ用途のために特に設計されるフィットネスまたはスポーツデバイスを含んでもよい。本明細書で使用される場合、「スポーツデバイス」という用語は、特定のスポーツまたはフィットネス活動中に使用され得る、または関与し得る任意の物理的物体を含む。例示のスポーツデバイスとしては、ゴルフボール、バスケットボール、野球ボール、サッカーボール、フットボールのボール、パワーボール、アイスホッケー用パック、ウェイト、バット、スティック、パドル、マット、およびこれらの組み合わせが挙げられ得るがこれらに限定されない。更なる実施形態では、例示のフィットネスデバイスは、環境自体を含む、特定のスポーツが生じるスポーツ環境内の物体、例えば、ゴールネット、フープ、バックボード、競技場の部分、例えば、ミッドライン、外側境界線マーカー、ベース、およびこれらの組み合わせなど、を含んでもよい。
【００３７】
この点で、当業者は、１つ以上のスポーツデバイスがまた構造の一部であっても（または構造を形成しても）よく、逆もまた同様で、構造が１つ以上のスポーツデバイスを備えてもよく、またはスポーツデバイスと相互作用するように構成されてもよいことを理解するであろう。例えば、第１の構造は、バスケットボールフープおよびバックボードを備えてもよく、それは、取り外し可能であってもよく、かつゴールポストと交換されてもよい。この点で、１つ以上のスポーツデバイスは、独立して、または１つ以上の構造と関連付けられた１つ以上のセンサなどの他のセンサと併せてのいずれかで、利用される情報を提供し得る、図１〜３に関連して上記で考察されたセンサのうちの１つ以上などの１つ以上のセンサを備えてもよい。例えば、バックボードは、バックボード上のバスケットボールによる力および力の方向を測定するように構成された第１のセンサを備えてもよく、フープは、力を検出するための第２のセンサを備えてもよい。同様に、ゴルフクラブは、シャフト上のグリップ特性を検出するように構成された第１のセンサと、ゴルフボールとの衝撃を測定するように構成された第２のセンサとを備えてもよい。
【００３８】
例示的な携帯用デバイス１１２を見ると、それは、例えば、Ａｐｐｌｅ，Ｉｎｃ．（Ｃｕｐｅｒｔｉｎｏ，Ｃａｌｉｆｏｒｎｉａ）から入手可能なブランドデバイスである、ＩＰＯＤ（登録商標）、ＩＰＡＤ（登録商標）、若しくはｉＰｈｏｎｅ（登録商標）、またはＭｉｃｒｏｓｏｆｔ（Ｒｅｄｍｏｎｄ，Ｗａｓｈｉｎｇｔｏｎ）から入手可能なＺｕｎｅ（登録商標）若しくはＭｉｃｒｏｓｏｆｔ（登録商標）Ｗｉｎｄｏｗｓデバイスを含む、電話機またはデジタル音楽プレーヤなどの多目的電子デバイスであってもよい。当該技術分野において既知のように、デジタルメディアプレーヤは、コンピュータのための出力デバイス、入力デバイス、および／または記憶デバイスとしての機能を果たすことができる。デバイス１１２は、ＢＡＮ  １０２、ＬＡＮ  １０４、またはＷＡＮ  １０６中の１つ以上のデバイスから収集された生データまたは加工データを受信するための入力デバイスとして構成されてもよい。１つ以上の実施形態において、携帯用デバイス１１２は、コンピュータデバイス１１４の１つ以上の構成要素を備えてもよい。例えば、携帯用デバイス１１２は、モバイル端末を含むために、追加の構成要素ありまたはなしで、上記で考察されたＩ／Ｏデバイス１１６〜１２２のうちのいずれかなど、表示器１１６、画像取り込みデバイス１１８、および／または１つ以上のデータ取得デバイスを含んでもよい。
【００３９】
ａ．例示的な衣料／装身具センサ
ある特定の実施形態では、Ｉ／Ｏデバイスは、時計、アームバンド、リストバンド、ネックレス、シャツ、靴などを含む、ユーザ１２４の衣服または装身具内に形成されてもよく、あるいはそれらと関連付けられてもよい。これらのデバイスは、ユーザの運動動作を監視するように構成されてもよい。それらは、ユーザ１２４のコンピュータデバイス１１４との相互作用中に運動動作を検出し、かつ／またはコンピュータデバイス１１４（または本明細書に開示される任意の他のデバイス）とは独立して動作してもよいことが理解されるものとする。例えば、ＢＡＮ  １０２中の１つ以上のデバイスは、ユーザの近接またはコンピュータデバイス１１４との相互作用に関わらず活動を測定する、終日活動モニタとして機能するように構成されてもよい。さらに、図３に示される感覚システム３０２および図４に示されるデバイスアセンブリ４００（それぞれ、以下の段落に記載される）が、単に例示的な実施例であることが理解されるものとする。
【００４０】
ｉ．靴取付型デバイス
ある特定の実施形態では、図１に示されるデバイス１２６は、本明細書に開示され、かつ／または当該技術分野において既知のセンサが挙げられるがこれらに限定されない、１つ以上のセンサを含んでもよい、履物を含んでもよい。図３は、１つ以上のセンサアセンブリ３０４を提供するセンサシステム３０２の１つの例示の実施形態を示す。アセンブリ３０４は、例えば、加速度計、ジャイロスコープ、位置判定構成要素、力センサ、および／または本明細書に開示されるか、若しくは当該技術分野において既知の任意の他のセンサなどの１つ以上のセンサを備えてもよい。図示された実施形態では、アセンブリ３０４は、力感応抵抗器（ＦＳＲ）センサ３０６を含み得る、複数のセンサを組み込む。しかしながら、他のセンサ（複数可）が利用されてもよい。ポート３０８は、靴の靴底構造３０９内に位置付けられてもよく、概して、１つ以上の電子デバイスとの通信のために構成されている。ポート３０８は、任意に、電子モジュール３１０と通信しているように提供されてもよく、靴底構造３０９は、モジュール３１０を受容するための筐体３１１または他の構造を任意に含んでもよい。センサシステム３０２はまた、ポート３０８を通じてモジュール３１０および／または別の電子デバイスとの通信を可能にするために、ＦＳＲセンサ３０６をポート３０８に接続する複数のリード線３１２を含んでもよい。モジュール３１０は、靴の靴底構造中のウェルまたは空洞内に収容されてもよく、筐体３１１は、ウェルまたは空洞内に位置付けられてもよい。一実施形態では、少なくとも１つのジャイロスコープおよび少なくとも１つの加速度計が、モジュール３１０および／または筐体３１１などの単一の筐体内に提供される。少なくとも１つの更なる実施形態では、動作中に方向情報および角速度データを提供するように構成された、１つ以上のセンサが提供される。ポート３０８およびモジュール３１０は、接続および通信のために相補的インターフェイス３１４、３１６を含む。
【００４１】
ある特定の実施形態では、図３に示される少なくとも１つの力感応抵抗器３０６が、第１および第２の電極または電気接点３１８、３２０、並びに電極３１８と３２０との間に配設された力感応抵抗材料３２２を収容して、電極３１８、３２０を一緒に電気的に接続してもよい。力感応材料３２２に圧力が加えられると、力感応材料３２２の抵抗率および／または伝導率が変化し、電極３１８と３２０との間の電位を変化させる。抵抗における変化は、センサ３１６に加えられた力を検出するために、センサシステム３０２によって検出され得る。力感応抵抗材料３２２は、様々な方法で圧力下の抵抗を変化させ得る。例えば、力感応材料３２２は、材料が圧縮されると減少する内部抵抗を有してもよい。更なる実施形態は、「スマート材料」を通じて実装され得る「体積ベースの抵抗」を利用してもよい。別の例として、材料３２２は、力感応材料３２２の２つの部品間、または力感応材料３２２と一方または両方の電極３１８、３２０との間など、面−面接触の程度を変化させることによって、抵抗を変化させてもよい。幾つかの状況では、この種類の力感知抵抗挙動は、「接触ベースの抵抗」と説明されることがある。
【００４２】
ｉｉ．リスト装着型デバイス
図４に示されるように、デバイス４００（図１に示される感覚デバイス１２８と似ていてもよく、またはそれを含んでいてもよい）は、ユーザ１２４によって手首、腕、くるぶし、首などの周囲などに装着されるように構成されてもよい。デバイス４００は、デバイス４００の操作中に使用されるように構成された押し込み可能な入力ボタン４０２などの入力機構を含んでもよい。入力ボタン４０２は、コントローラ４０４および／または図１に示されるコンピュータデバイス１１４に関して考察された要素のうちの１つ以上などの任意の他の電子構成要素に機能可能に接続されてもよい。コントローラ４０４は、埋め込まれてもよく、あるいは筐体４０６の一部であってもよい。筐体４０６は、弾性構成要素を含む１つ以上の材料から形成されてもよく、表示器４０８などの１つ以上の表示器を含んでもよい。表示器は、デバイス４００の照明可能な部分と見なされてもよい。表示器４０８は、ＬＥＤ灯４１０などの一連の個々の点灯素子または点灯部材を含んでもよい。光は、アレイで形成されてもよく、コントローラ４０４に機能可能に接続されてもよい。デバイス４００は、指示器システム４１２を含んでもよく、それはまた、表示器４０８全体の一部分または構成要素と見なされてもよい。指示器システム４１２は、表示器４０８（画素部材４１４を有してもよい）と併せて動作および照明するか、または表示器４０８から完全に分離することができる。指示器システム４１２はまた、複数の追加の点灯素子または点灯部材を含んでもよく、それはまた、例示の実施形態においてＬＥＤ灯の形態をとってもよい。ある特定の実施形態では、指示器システムは、１つ以上の目標に向かっての成果を表すために、指示器システム４１２の照明部材の一部分を照明することによってなど、目標の視覚指示を提供してもよい。デバイス４００は、表示器４０８および／または指示器システム４１２のいずれかを通じて、ユーザの活動に基づいてユーザによって稼がれた活動ポイントまたは通貨の単位で表現されるデータを表示するように構成されてもよい。
【００４３】
締結機構４１６は、係合解除され得、デバイス４００がユーザ１２４の手首または一部分の周囲に位置付けられ得、かつ締結機構４１６は、その後に係合位置に配置され得る。一実施形態では、締結機構４１６は、コンピュータデバイス１１４並びに／またはデバイス１２０および／若しくは１１２などのデバイスとの機能的な相互作用のためのＵＳＢポートが挙げられるがこれに限定されない、インターフェイスを備えてもよい。ある特定の実施形態では、締結部材は、１つ以上の磁石を備えてもよい。一実施形態では、締結部材は、可動部なしでもよく、磁力に完全に依存してもよい。
【００４４】
ある特定の実施形態では、デバイス４００は、センサアセンブリを備えてもよい（図４に示されない）。センサアセンブリは、本明細書に開示され、かつ／または当該技術分野において既知のセンサを含む、複数の異なるセンサを含んでもよい。例示の実施形態では、センサアセンブリは、本明細書に開示されるか、または当該技術分野において既知の任意のセンサを備えてもよく、またはそれへの機能的な接続を可能にしてもよい。デバイス４００および／またはそのセンサアセンブリは、１つ以上の外部センサから取得されたデータを受信するためように構成されてもよい。
【００４５】
ｉｉｉ．衣料および／または身体位置検知
図１の要素１３０は、センサ、データ取得ユニット、または他のデバイスなどの物理器械と関連付けられ得る例示の感覚位置を示す。さらに他の実施形態では、それは、画像取り込みデバイス（例えば、画像取り込みデバイス１１８）などを介して監視される身体の部分または領域の特定の位置であってもよい。ある特定の実施形態では、要素１３０は、要素１３０ａおよび１３０ｂが運動用衣服などの衣料に一体化されたセンサであってもよいようなセンサを含んでもよい。そのようなセンサは、ユーザ１２４の身体の任意の所望の位置に配置されてもよい。センサ１３０ａ／ｂは、ＢＡＮ  １０２、ＬＡＮ  １０４、および／またはＷＡＮ  １０６の１つ以上のデバイス（他のセンサを含む）と（例えば、無線で）通信してもよい。特定の実施形態では、受動検知面は、画像取り込みデバイス１１８および／またはセンサ１２０によって放射される赤外線光などの波形を反射してもよい。一実施形態では、ユーザ１２４の衣服上に位置する受動センサは、波形を反射し得るガラスまたは他の透明若しくは半透明の表面から作製された略球状構造を備えてもよい。適切に装着されたとき、所与の種類の衣料がユーザ１２４の身体の特定の部分に近接して位置するように構成された特定のセンサを有する、異なる種類の衣料が利用されてもよい。例えばゴルフ服は、第１の構成で衣料上に位置付けられた１つ以上のセンサを含んでもよく、さらにサッカー服は、第２の構成で衣料上に位置付けられた１つ以上のセンサを含んでもよい。
【００４６】
図５は、感覚入力のための例示的な位置を示す（例えば、感覚位置１３０ａ〜１３０ｏを参照されたい）。この点で、センサは、ユーザの衣服上／中に位置する身体センサであってもよく、さらに他の実施形態では、センサ位置１３０ａ〜１３０ｏは、２つの動いている身体部分間の関係の識別に基づいてもよい。例えば、センサ位置１３０ａは、画像取り込みデバイス１１８などの画像取り込みデバイスを用いてユーザ１２４の動きを識別することによって決定されてもよい。したがって、ある特定の実施形態では、センサは、特定の位置（センサ位置１３０ａ〜１３０ｏのうちの１つ以上など）に物理的に位置していない場合があるが、画像取り込みデバイス１１８または他の位置から集められた他のセンサデータなど、その位置の特徴を検知するように構成されている。この点で、ユーザの身体の全体的な形状または部分は、ある特定の身体部分の識別を可能にし得る。画像取り込みデバイスおよび／若しくはユーザ１２４上に位置する身体センサが利用されるか、並びに／または他のデバイス（感覚システム３０２など）からのデータを使用して、デバイスアセンブリ４００および／若しくは本明細書に開示されるか、若しくは当該技術分野において既知の任意の他のデバイス若しくはセンサが利用されるかに関わらず、センサは、身体部分の現在の位置を検知し、かつ／または身体部分の動作を追跡し得る。一実施形態では、位置１３０ｍに関連する感覚データは、ユーザの重心（別名、質量中心）の決定で利用されてもよい。例えば、位置（複数可）１３０ｍ〜１３０ｏのうちの１つ以上に対する位置１３０ａと位置（複数可）１３０ｆ／１３０ｌとの間の関係は、ユーザの重心が（ジャンプ中などに）垂直軸に沿って上昇しているかどうか、またはユーザが膝を屈曲および収縮させることによってジャンプの「ふりをしよう」と試みているかを判定するために利用され得る。一実施形態では、センサ位置１３０６ｎは、ユーザ１２４の胸骨の周囲に位置してもよい。同様に、センサ位置１３０ｏは、ユーザ１２４のへそに近接して位置してもよい。ある特定の実施形態では、センサ位置１３０ｍ〜１３０ｏからのデータは、ユーザ１２４に対する重心を決定するために、（単独で、または他のデータを組み合わせて）利用されてもよい。更なる実施形態では、センサ位置１３０ｍ〜１３０ｏなどの複数のセンサ位置間の関係は、ユーザ１２４の方向および／またはユーザ１２４の胴体のねじりなどの回転力の決定で利用されてもよい。さらに、位置（複数可）などの１つ以上の位置は、モーメントの中心位置として利用されてもよい（またはそれに近似してもよい）。例えば、一実施形態では、位置（複数可）１３０ｍ〜１３０ｏのうちの１つ以上は、ユーザ１２４のモーメントの中心位置に対する点としての機能を果たし得る。別の実施形態では、１つ以上の位置は、特定の身体部分または領域のモーメントの中心としての機能を果たし得る。
【００４７】
ＩＩ．取り外し可能なモジュールを備える運動バンド
本開示の態様は、身体的動作中のユーザの１つ以上の属性（例えば、生理学的、生物医学的、運動（これらが重複する例であり得るという理解のもとで））を測定し得るシステムに関する。一実施形態では、システムおよび方法は、激しい身体的エクササイズまたは動作を実施する間のユーザの１つ以上の属性を測定し得る。例えば、ユーザは、アメリカンフットボール、フットボール、バスケットボール、水泳、またはこれらの組み合わせが挙げられるがこれらに限定されない、プロのスポーツ活動に参加している場合がある。一実施形態では、システムおよび方法は、エクササイズ中のユーザからの測定を常に提供してもよく、本システムは、プロのスポーツへの関与などの集中的な活動中に一般的に見られる衝撃力および／または加速度の大きさを経験する。
【００４８】
ある特定の態様は、激しい身体的活動中にユーザの皮膚に対して少なくとも１つのセンサをしっかりと保持あるいは維持し得るモジュラーシステムに関する。一実施形態では、本システムは、活動中の正確な測定値を可能にする方法で、激しい身体的活動中にユーザの皮膚に対して心拍センサを保持するように構成されてもよい。バンドは、運動活動中、または特定の運動活動の平均力および／若しくは加速度の大きさと一般的に関連する動作中、皮膚に対して少なくとも１つのセンサをさらに固定し、ユーザの皮膚に対してセンサの１ｍｍ未満の移動を可能にし得る。さらに別の実施形態では、バンドは、運動活動中に、取り外し可能なセンサがユーザの皮膚の表面に対して０．５ｍｍ未満移動するように構成されてもよい。本システムは、ユーザの皮膚または衣服に対して固定されるように構成されたバンド９２０を備えてもよい。一実施形態では、バンドは、アームバンドであるように構成されたが、リストバンド、ウエストバンド、または他の構成として構成されてもよい。一実施形態では、バンド９２０は、ユーザの肘と手首との間に装着されるように構成されている。別の実施形態では、バンドは、肘と肩との間の位置で装着されるように構成されている。
【００４９】
バンド９２０は、アームバンド、リストバンド、レッグバンド、およびベルトなどのバンドなどであるがこれらに限定されない、身体に取り付けられ得る任意の好適な衣料品であってもよい。加えて、衣料品は、シャツ、ジャケット、コート、トレーナー、ベスト、ショーツ、およびパンツ、並びに様々な他の衣料品など、身体に装着され得る任意の好適な衣料品であってもよい。
【００５０】
一実施形態では、バンド９２０は、腕の周囲でバンドを保持するように構成された締結具なしで構成されてもよい。一実施形態では、バンドは、激しい運動活動であり得る活動中に正確なセンサ測定値を得るために、締結具がバンド９２０を付属肢に固定するために必要とされない方法で、バンドがユーザの付属肢（例えば、腕）の周囲で保持されることを可能にする、弾性係数を示し得る。さらに別の実施形態では、締結具は、付属肢への取り付けのためにバンドの少なくとも一部分または複数の部分を一緒に接続するために利用されてもよい。当業者が備えている技能の範囲内であるように、Ｖｅｌｃｒｏ、スナップ、ボタン、バックル、およびジッパーなどの任意の好適な締結具が使用されてもよい。
【００５１】
本発明の別の態様では、本明細書の図面に示されるように、リストバンドまたはアームバンドは、手首または腕に引っ張って身に着けられ得る弾性材料から作製された連続管状バンドであってもよい。以下で考察されるように、ポケット（例えば、ポケット９４０）は、バンド９２０に取り付けられてもよく、またはそれと一体的に形成されてもよい。以下でさらに考察されるように、バンド９２０は、電子モジュールを保持するように構成された「ポケット」を備えるように構成されてもよい。この点で、バンドは、バンド９２０の少なくとも一部分が、ユーザがバンド９２０を装着しているときに、ポケット９４０中で保持される電子モジュール９３０の任意の表面が被覆に対して押されることと比較して単位面積当たりより小さい力で、ユーザの皮膚に対して保持されるような力を分配する方法で、ユーザの皮膚の一部分の周囲にシールまたは他の表面を形成してもよい。バンド９２０は、周辺光のある特定の部分がバンド９２０下のユーザの皮膚と接触することから遮断されるように、さらに構成されてもよい。この点で、バンド９２０は、通常の使用中にバンドによって被覆される１つ以上の特定の領域中で、および／または全範囲にわたって光を遮断してもよい。一実施形態では、周辺光の少なくとも７５％が、センサがバンドの開口部から延在し、ユーザの皮膚の表面と接触する場所にすぐ近くのバンドの範囲に到達することから遮断される。
【００５２】
概して、本デバイスは、ユーザによって装着されるか、あるいはユーザに取り付けられるために、ユーザによって装着されるか、あるいはユーザの身体に取り付けられるように構成されたバンド９２０と、バンド９２０に接続されるように構成されたモジュール９３０とを含む。バンド９２０は、肘のすぐ下のユーザの前腕上部に装着されるように構成された、図１１および１２に示されるような一実施形態のアームバンドであってもよい。図３９ＡおよびＢはまた、図１１および１２の実施形態と同様の実施形態を示す。本実施形態のバンド９２０は、ユーザの腕が通路９２２を通じて受容され、管状体９２１が腕に巻き付くように、中央通路９２２を区画する管状体９２１を含む。管状体９２１は、示される実施形態において多少円錐台形状であり、より幅広い頂端部９２３は、肘により近く位置付けられるように構成され、反対側のより狭い底端部９２４は、腕が典型的にはより小さい手首により近く位置付けられるように構成されている。管状体９２１の円錐台形状は、活動中にユーザの前腕に装着されたときに、バンド９２０の滑りへの抵抗を補助し得る。特定の理論に束縛されるものではないが、証拠は、バンド９２０が滑る傾向が、頂端部９２３のサイズと底端部９２４のサイズとの間の比例的な差（例えば、管状体９２１の断面の「傾斜」）の減少とともに減少することを示す。図９６は、管状体９２１の縁部９９４の傾斜が軸Ｘに対してどのように決定され得るかを示す。換言すれば、底端部９２４のサイズが頂端部９２３のサイズに対してより近いほど、滑りが生じる可能性はより低い（制限内で）。証拠はまた、より大きいサイズのバンド９２０がより小さいサイズのバンド９２０よりも滑る可能性が高いことも示す。したがって、より大きいサイズのバンド９２０は、より大きいサイズのバンド９２０における滑りを低減するために、一実施形態のより小さいサイズのバンド９２０の直径と比較して、頂端部９２３の直径と底端部９２４の直径との間でより小さい差を有して提供されてもよい。
【００５３】
管状体９２１上で区画される様々な異なる「傾斜」は、バンド９２０の滑りの程度に関係してもよい。図９６は、傾斜の計算において基準点の高さＨを使用して、頂端部および底端部９２３、９２４に垂直である軸Ｘに対して計算され得る、複数の異なる傾斜を示す。高さＨは、バンド９２０の端部９２３、９２４に平行である円周線を表し、底端部９２４と頂端部９２３との間の距離の約７０％、即ち、モジュール９３０が筐体９６３内に位置付けられるときのセンサ９３２の近似位置に位置付けられる。異なるセンサ９３２の位置を作るために、バンド９２０が異なって構成される場合、基準点の高さＨが異なって位置し得ることが理解される。管状体９２１の全体的な傾斜および傾斜Ｂ（底端部９２４と高さＨとの間）が、滑りに対して最大の効果を有し、これらの傾斜がゼロに近づくにつれて、報告された滑りの発生率が低減されることがわかっている。図９６に示される実施形態では、傾斜Ａおよび傾斜Ｂは、互いに等しく、管状体９２１の全体的な傾斜にも等しい。他の実施形態では、傾斜Ａおよび傾斜Ｂは、互いと異なってもよく、かつ傾斜Ａおよび傾斜Ｂのうちの一方または両方は、管状体９２１の全体的な傾斜と異なってもよい。これらの傾斜のうちのいずれかが「平均」傾斜であってもよく、かつ管状体９２１が曲線状または他の非直線状の縁部輪郭を有してもよいことが理解される。
【００５４】
上記の通り、管状体９２１の全体的な傾斜は、バンド９２０のフィット感および滑りの可能性に影響を及ぼし得る。管状体９２１の全体的な（平均の）傾斜は、図９６Ａに示されるように、軸Ｘおよびバンド９２０の頂端部９２３の交点と、バンド９２０の底端部９２４の端点との間の仮想の直線を描くことによって計算されてもよい。この計算を実施するための簡略化した方法は、管状体９２１の高さに沿った任意の２つの点の間（例えば、頂端部９２３と底端部９２４との間）の外周または直径の差を使用して、傾斜を決定することである。この仮想の線は、図９６の線である傾斜Ａおよび傾斜Ｂの組み合わせであると見なされてもよいが、傾斜Ａおよび傾斜Ｂは、他の実施形態において互いと異なってもよい。傾斜Ａまたは傾斜Ｂはまた、バンド９２０のフィット感および滑りの可能性に影響を及ぼし得、これらの傾斜は、管状体９２１の全体的な傾斜に対して、上記と同じ方法での平均として計算され得る。一実施形態では、管状体９２１の全体的な傾斜、傾斜Ａ、および／または傾斜Ｂは、０〜０．７５、または約０．６５であってもよい。別の実施形態では、管状体９２１の全体的な傾斜、傾斜Ａ、および／または傾斜Ｂは、０〜０．５、または約０．４であってもよい。更なる実施形態では、管状体９２１の全体的な傾斜、傾斜Ａ、および／または傾斜Ｂは、０〜０．３または０〜０．１５であってもよい。より小さいサイズのバンド９２０（例えば、２００ｍｍ以下の最大直径）に対して、管状体９２１の全体的な傾斜、傾斜Ａ、および／または傾斜Ｂは、より大きいサイズに対するよりもゼロに近くてもよい。管状体９２１の全体的な傾斜がゼロである場合、頂端部および底端部９２３、９２４の寸法が、頂端部９２３が底端部９２４よりも幅広くならないように等しいか、またはほぼ等しくてもよいことが理解される。
【００５５】
別の実施形態では、同様に構造化されたバンド９２０は、身体の別の部分に装着されるように構成されてもよい。例えば、バンド９２０は、上腕、手首、手など、腕の別の部分に装着されるように構成されてもよい。別の例として、バンド９２０は、脚、首、胴体、頭などの様々な位置など、ユーザの異なる身体部分に巻き付くように構成されてもよい。バンド９２０の寸法および輪郭は、異なる身体部分に巻き付くために調節されてもよいことが理解される。
【００５６】
一実施形態では、バンド９２０は、例えば、弾性布地など、ユーザがバンド９２０を快適に装着することを可能にし、かつバンド９２０をユーザの身体上に配置および取り外しするために伸張することができる可撓性の弾性材料から形成されてもよい。バンド９２０は、一緒に結合される材料の２つ以上の層から作製されてもよく、それは、複数の層を作るために折り畳まれる単一の部品の一部であってもよい。図１１および１２はバンド９２０の一実施形態を示し、図１４〜１７、３９ＡおよびＢ、並びに６８〜７０Ｃは、本明細書に記載される幾つかの異なる特徴を有する同様の実施形態を示す。
【００５７】
図１１〜１７並びに３９ＡおよびＢに示される実施形態では、バンド９２０は、２つの層を形成するためにそれ自体の上に折り畳まれ、２つの層間に塗布された接着剤によって結合される一片の布地から作製される。接着剤は、幾つかの実施形態ではパターンに形成されてもよく、それは、最終製品において目に見え、独特の外観をもたらす。接着剤パターンはまた、バンド９２０の伸張の最大程度を制御すること、バンド９２０の伸張若しくは他の変形の位置を制御すること、バンド９２０の耐久性を強化すること、および／または他の機能など、機能的であってもよい。図１２、１４、並びに３９ＡおよびＢに示されるように、接着剤は、バンド９２０に沿って軸方向に（即ち、端部９２３と端部９２４との間に）延在し、互いから円周方向に離間した、複数の線９２５で塗布される。これらの構成において、バンド９２０の放射状の伸張は、線９２５間で生じ、接着剤の線９２５は、低伸張性範囲を提供する。図１２、１４、並びに３９ＡおよびＢのバンド９２０は、接着剤の破線または不連続な線９２５（即ち、線分）を有し、各線９２５に沿って１つ以上の間隙９２６を有する。加えて、本実施形態の各線９２５の間隙９２６は、隣接する線９２５の間隙９２６からずれているか、または互い違いになっている。別の実施形態では、バンド９２０は、図４０ＡおよびＢにあるような接着剤の実線９２５（直線および／若しくは曲線であってもよい）、または接着剤の１つ以上のブロックを有してもよい。図１２、１４、３９ＡおよびＢ、並びに４０ＡおよびＢの接着剤の線９２５の構成は、幾つかの利点を提供する。第１に、軸方向に延在する線９２５は、バンド９２０の弾性材料の弾性率又弾性応答が伸張の量を制御するように、バンドの放射状の伸張のほとんどが線９２５間で生じることを可能にする。加えて、軸方向に延在する線９２５は、線９２５の接着剤が、軸方向のバンド９２０の弾性率又弾性応答により有意な影響を及ぼすことを可能にし、したがって、生じる軸方向の伸張の量を制限する。これは、バンド９２０が、バンドを伸張させることによりユーザによって及ぼされるエネルギーを消費するよりもむしろ、必要に応じて摺動するように、バンド９２０がユーザの身体（例えば、前腕）に引っ張って身に着けられる際の過剰な伸張を回避するために有益である。間隙９２６の「ずれ」もまた、軸方向の伸張の制限に役立つ。さらに、接着剤の線９２５の断続的な適用は、バンド材料の布地が典型的には接着剤よりも通気性であるため、より大きい通気性を提供する。別の実施形態では、バンド９２０は、２つの層を形成するためにそれ自体の上に折り畳まれ、接着剤、縫合などによって端部９２３、９２４の周囲で結合される一片の布地から作製される。
【００５８】
バンド９２０は、概して、電子モジュール９３０を保持するように構成され、それは、バンド９２０から取り外し可能であってもよい。一実施形態では、バンド９２０は、取り外し可能な構成でモジュール９３０を受容するように構成された空洞９４１を区画する、ポケット９４０を有する。一実施形態では、図１１および１２に示されるように、ポケット９４０は、ユーザの身体に向き合い、かつ／または接触するように構成された、バンド９２０の内側表面９２７からアクセス可能である。図３６〜３８は、同様にポケット９４０の構成要素を示す。この構成において、ポケット９４０は、バンド９２０の内側９２７上に区画されるアクセス開口部９４２を有し、モジュール９３０は、開口部９４２を通じて挿入および取り外しされ得る。バンド９２０は、このアクセスを容易にするために、裏返しにされてもよい。図１１〜１７並びに３６〜３９ＡおよびＢに示される各実施形態のポケット９４０は、バンド９２０の外側表面９２８の一部を形成する外壁９４３と、バンド９２０の内側表面９２７の一部を形成する内壁９４４とを有し、空洞９４１は、壁９４３と壁９４４との間に区画される。これらの壁９４３、９４４は、一実施形態では、少なくとも多少可撓性であり、単一の層および／若しくは部品、または複数の層および／若しくは部品から作製されてもよい。他の実施形態では、壁９４３、９４４は剛性であってもよく、バンド９２０の他の部分と同じ材料または異なる材料から作製されてもよい。アクセス開口部９４２は、モジュール９３０の一端（一実施形態では、ＵＳＢコネクタ１３５）を開口部９４２に挿入し、次いで、開口部９４２を通じて空洞９４１中へモジュール９３０の残りを押すことによって、モジュール９３０が挿入されるように、図１１〜１４並びに３６〜３９ＡおよびＢの実施形態では、空洞９４１の一端において内壁９４４内に区画される。
【００５９】
図３９ＡおよびＢは、モジュール９３０がポケット９４０に挿入されたバンド９２０の実施形態を示す。図３９Ａ中、ポケット９４０は、バンド９２０の頂端部９２３により近く（即ち、ユーザの肘により近く）位置付けられた光９３４およびボタン９３３、並びにバンド９２０の底端部９２４により近く（即ち、ユーザの手首により近く）位置付けられたコネクタ９３５を有するモジュール９３０の挿入のために構成されている。これは、図１４の構成と同様である。図３９Ｂ中、ポケット９４０は、バンド９２０の底端部９２４により近く（即ち、ユーザの手首により近く）位置付けられた光９３４およびボタン９３３、並びにバンド９２０の頂端部９２３により近く（即ち、ユーザの肘により近く）位置付けられたコネクタ９３５を有するモジュール９３０の挿入のために構成されている。これは、図１１および１２の構成と同様である。アクセス開口部９４２（図３９ＡおよびＢに示されない）が、図３９Ａの頂端部９２３付近および図３９Ｂの底端部９２４付近に位置してもよいことが理解される。図３９Ｂの構成は、より大きい人間工学および使いやすさを提供し得る。例えば、光９３４を見て、ボタン９３３を押すことは、これらの構成要素が手首により近く位置するとき、より少ない動作およびより自然な動作を必要とし得る。また、ボタン９３３を押す力はユーザの腕を圧縮し、ボタン９３３が、骨が皮膚により近い手首により近い場合、ボタンを押す力の下で圧縮することができる軟組織はより少ない。図３９Ｂの構成において、保護シェル９４８（以下に記載）は、ユーザが腕にバンド９２０を引っ張って身に着けるために把持し得る範囲に位置するため、コネクタ９３５を保護する。
【００６０】
図１３ＡおよびＢは、バンド９２０の内側表面９２７上にアクセス開口部９４２を有するポケット９４０に、モジュール９３０を挿入するための別の構成を示す。
【００６１】
ポケット９４０はまた、モジュール９３０のセンサ（複数可）９３２に、ユーザの身体に接触すること（例えば、心拍センサ）、あるいはユーザの身体と直接相互作用すること（例えば、光、熱、若しくは他の放射ベースのセンサ）などによって、ユーザの身体を直接検知するための妨げられない経路を可能にするように構成された、１つ以上のセンサ開口部９４５を含んでもよい。図３６〜３８に示される実施形態では、ポケット９４０は、アクセス開口部９４２とは別である内壁９４４上の単一のセンサ開口部９４５を有する。他の実施形態では、センサ開口部９４５は、単一の開口部のみが内壁９４４に区画されるように、アクセス開口部９４２と連続していてもよく、かつ／またはポケット９４０は、複数のセンサ開口部９４５を有してもよい。この構成の一例は、図６８〜７０Ｃおよび７８〜８２に示される。
【００６２】
ポケットの外壁９４３は、モジュール９３０を被覆するように構成され、外壁９４３を通じたモジュールの読み取りおよび／または操作を可能にするように構成されてもよい。例えば、外壁９４３は、モジュール９３０の表示器を見ることを可能にするために、１つ以上の窓９４６を含んでもよい。そのような窓９４６は、それを通じて光または照明付き表示器を見ることを可能にする、外壁９４３の開口部、または透明若しくは半透明の部分であってもよい。図１１〜１４、３９ＡおよびＢ、並びに６８〜７０Ｃに示される実施形態では、外壁９４３は、単一の光を見ることを可能にするための窓９４６を有し、加えてまたは交互に（alternately）、モジュール９３０の複数のＬＥＤ（即ち、読み取り可能な表示器）を見ることを可能にするように構成された、１つ以上の窓９４６を有してもよい。ポケット９４０が、モジュール９３０の構造と補完的であるように構成された１つ以上の窓９４６を有してもよいことが理解される。
【００６３】
別の例として、外壁９４３は、外壁９４３を通じたモジュール９３０の１つ以上のボタン９３３の操作を可能にするように構成された、１つ以上のボタン部分９４７を有してもよい。「ボタン」が、機械／電気ボタン、タッチスクリーンインターフェイス、または他の手動で機能可能な構成要素を含んでもよいことが理解される。ボタン部分９４７は単純に、図１１〜１４に示されるように、ユーザがボタン部分９４７を押して、モジュール９３０のボタン９３３を作動させることを可能にする、外壁９４３の可撓性部分であってもよい。外壁９４３はさらに、外壁９４３および／またはより大きい可撓性を有する凹形またはくぼんだ部分などのバンド９２０の部分の屈曲を制御するために、１つ以上の屈曲ゾーン（図示せず）を有してもよい。別の実施形態では、ボタン部分９４７は、モジュール９３０のボタン（複数可）９３３を作動させるボタン機構（または複数の機構）を有してもよい。更なる実施形態では、ボタン部分９４７は、モジュール９３０が光を有するボタンを有する場合（図４２を参照されたい）、またはモジュール９３０が照明付きタッチスクリーン表示器を有する場合などに、窓９４６を兼ねてもよい。外壁９４３はさらに、モジュール９３０上のボタン（複数可）９３３の位置（複数可）の指示、ロゴ、命令などの印９４７Ａを有してもよい。
【００６４】
ポケット９４０はさらに、モジュール９３０の少なくとも一部分を保護するために、空洞９４１内に保護シェル９４８を含んでもよい。シェル９４８は、剛性プラスチック若しくは繊維強化ポリマー（例えば、熱可塑性ポリウレタン）、金属性材料、または他の材料など、剛性材料から形成されてもよい。図１１〜１４の実施形態では、ポケット９４０の壁９４３、９４４は可撓性であり、シェル９４８は、空洞９４１内に受容され、アクセス開口部９４２と反対側の端部に位置付けられる。この構成において、シェル９４８は、モジュール９３０のＵＳＢコネクタ９３５を受容および保護する。シェル９４８はさらに、摩擦フィット構成、モジュール９３０との相補的インターロック構造など、いったんモジュール９３０が挿入されると、モジュール９３０を保持するための構造を有してもよい。シェル９４８はまた、モジュール９３０が完全に挿入されたことをユーザに示すために、モジュール９３０が完全に挿入されたときに、聴覚および／または触覚指示を生成する構造を有してもよい。これらの聴覚／触覚指示は、ロック構造ありまたはなしで使用されてもよく、コネクタ９３５相互作用してもよい。シェル９４８は、接着剤または他の結合材料、摩擦フィット、様々な機械接続技術などによって、ポケット９４０内で保持されてもよい。他の実施形態では、シェル９４８は、モジュール９３０のより大きい若しくはより小さい割合を被覆してもよく、またはポケット９４０は、シェルを全く有しない場合がある。図１６もまた、一構成における保護シェル９４８を示す。
【００６５】
図１５Ａ〜１７に示される他の実施形態では、バンド９２０は、バンド９２０の外部にアクセス開口部９４２を有してもよい。例えば、図１５Ａは、アクセス開口部９４２がバンド９２０の外側表面９２８上に露出される一実施形態を示し、モジュール９３０は、アクセス開口部９４２を通じて空洞９４１中に挿入され得る。本実施形態のモジュール９３０は、最初に開口部９４２を通じてモジュール９３０の端部を挿入することによって、上記の技術と同様に挿入される。別の例として、図１５Ｂは、アクセス開口部９４２がはるかに大きく、空洞９４１とほぼ同じサイズである、一実施形態を示す。本実施形態では、モジュール９３０全体が開口部９４２を通じて空洞９４１中へ下方に押され、次いで、ポケット９４０内にモジュール９３０を固定するために、固定部材９４９が使用される。本実施形態の固定部材９４９は、フックアンドループ材料、機械締結具（例えば、スナップ若しくはボタン）、または他の解放可能な接続など、解放可能な接続を有するストラップである。他の実施形態では、固定部材９４９は、キャップ、フラップ、タブ、または他の構造などの異なる構成を有してもよい。図１６は、これらの実施形態の両方の断面図を示す。図１７は、モジュール９３０が図１５Ａの実施形態と同様に挿入される、一実施形態を示す。
【００６６】
バンド９２０は、熱プレス動作を使用することによって組み立てられてもよく、熱活性化フィルムは、バンド９２０の部品を一緒に結合する。図１８〜３８は、バンド９２０の組み立て／製造の方法の一実施形態を示す。本実施形態では、本体部品９５０は、図１８に示されるように、弾性布材料から形成（例えば、切断）され、折り線は、破線によって示される。本体部品９５０は、開口部９４２のための第１の穴９５０Ａと、センサ開口部９４５のための第２の穴９５０Ｂと、窓９４６の一部を形成する第３の穴９５０Ｃとを有する。中央折り線は、本体部品９５０を、バンド９２０の内側表面９２７を形成する内側部分９５０Ｄ、およびバンド９２０の外側表面９２８を形成する外側部分９５０Ｅに分割する。図１９は、熱活性化フィルムまたは接着剤フィルム（「結合材料」と称される）の主要結合パネル９５１を示し、線９２５および間隙９２６が、エッチングまたは切断によってその上に形成される。図４０ＡおよびＢは、主要結合パネル９５１および得られたバンド９２０の代替の実施形態を示す。図２０および２１は、窓９４６の一部を形成する光用の穴９５２Ａを有する外側ポケット内部部品９５２、および開口部９４２のための穴９５３Ａを有する内部ポケット縁部結合部品９５３を示し、それらの両方が結合材料から作製される。図２２および２３は、内側ポケットトリムおよび外側ポケット構造部品９５４、並びに内側ポケット構造部品９５５を示し、それらの両方が結合材料の裏当てを有する布材料から作製される。内側ポケットトリムおよび外側ポケット構造部品９５４は、光用の穴９５４Ａと、その中央から切り取られた舌部９５４Ｂとを有する。図２４および２５の両方は、内側ポケットトリムおよび外側ポケット構造部品９５４の代替の実施形態を示す。図２４は、ポケット９４０内でシェル９４８に結合するために、舌部９５４Ｂ上に位置付けられた接着剤または結合材料９５４Ｃを有する、部品９５４を示す。図２５は、異なって位置する光用の穴を有する、部品９５４を示す。内側ポケット構造部品９５５は、開口部９４２のための第１の穴９５５Ａと、センサ開口部９４５のための第２の穴９５５Ｂとを有する。図２６および２７は、外側ポケットトリム部品９５６およびポケット縁部トリム部品９５７を示し、それらの両方が結合材料の裏当てを有する布材料から作製される。図２８は、グラフィック部品９５８を示し、それはロゴ９５８Ａまたは他の印９５８Ｂ、並びに任意に、窓９４６の一部を形成してもよい光用の穴を含んでもよい。グラフィック部品９５８は、熱活性化可能材料から作製されてもよい。図２９は、センサ開口部９４５のための穴９５０Ｂ、９５５Ｂの周囲に配置されてもよいフレーム部品９５９を示し、それは、ポリカーボネート材料から作製されてもよい。図３０は、図２４にも示されるようなシェル９４８のための結合材料９５４Ｃを示す。部品９５１、９５２、９５３などを含む、本明細書に記載される結合材料の様々な部品が、同じまたは異なる結合材料から作製されてもよく、同じ若しくは異なる厚さおよび／または機能特性を有してもよいことが理解される。また、図２０〜２５中の破線が、部品が組み立て中にバンド９２０上の所定の位置に配置された後に作製される切断線を示すことが理解される。
【００６７】
これらの構成要素の組み立ては、結合材料を密閉する熱プレスを使用して実施されてもよい。組み立ては、図３１に示されるように、主要結合パネル９５０から開始する。図３２中、外側ポケット内部部品９５２は、本体パネル９５０の外側部分９５０Ｅ上に配置され、内側ポケット構造部品９５５は、本体パネル９５０の内側部分９５０Ｄ上に配置され、結合材料のわずかな粘着性がこれらの配置を所定の位置で保持し得る。フレーム部品９５９は、組み立て後にセンサ開口部９４５を保護および強化するために、内側ポケット構造部品９５５中の開口部９５５Ｂの周囲に追加的に配置されてもよい。別の実施形態では、フレーム部品９５９は、接着剤の縁取りによって置き換えられてもよい。図３３中、主要結合パネル９５１は、本体部品９５０の外側部分９５０Ｅに適用され、粘着性によって保持されてもよい。図３５に交互に（alternately）示されるように、主要結合パネル９５１は、本体部品９５０の内側部分９５０Ｄに適用されてもよい。主要結合パネル９５１は、本体部品９５０に適用され、次いで、エッチング／切断によって区画された結合材料の線９２５のみを残すために取り除かれてもよい。図３４に示されるように、内部ポケット縁部結合部品９５３は、本体部品９５０の内側部分９５０Ｄ上に位置し、穴９５３Ａは、モジュール９３０の表示器があり得る場所に適切に位置する。次いで、結合材料のストリップ９６０は、本体部品の外側部分９５０Ｅの縁部にわたって配置され、それは、折り畳み後に内側および外側９５０Ｄ、Ｅの縁部を一緒に結合する。図３６中、本体部品９５０は、内側および外側部分９５０Ｄ、Ｅが互いに向き合い、主要結合パネル９５１およびストリップ９６０によって一緒に結合され得るように折り畳まれる。図３６は、ここでは本体部品９５０の反対側の表面上にある、内側部分９５０Ｄおよび外側部分９５０Ｅの両方を示す。本体部品９５０の外側部分は、その上、このステップでバンド９２０の最終形状を作製するために、切り取られ、かつ／または内方へ折り畳まれてもよい。
【００６８】
図３７中、内側ポケットトリムおよび外側ポケット構造部品９５４は、部品９５４が外側表面上にあり、舌部９５４Ｂが本体部品９５０の内側部分９５０Ｄと外側部分９５０Ｅとの間を、開口部９４２を通じて空洞９４１へと延在するように、内側部分９５０Ｄ上に配置される。外側ポケットトリム部品９５６は、図３７にも示されるように、外側部分９５０Ｅ上に配置される。ポケット縁部トリム部品９５７は、部品９５７が縁部に折り重なるように、図３７にさらに示されるように、アクセス開口部９４２の縁部に沿って配置される。組み立てのこの時点の後、部品は、特別に設計された金型を使用することによって熱プレスされる。金型９７０の一実施形態は、内側部分９５０Ｄと接触している第１の金型プレートまたは部品９７１と、外側部分９５０Ｅと接触している第２の金型プレートまたは部品９７２とを含み、プレート９７１、９７２は、以下でより詳細に記載され、かつ図６４〜６７に示されるように、一緒にプレスされて、アセンブリを熱プレスし、ポケット９４０を成形する。熱プレス中にプラグが開口部９４２を通じて挿入されて、ポケット９４０の内側形状を形成する。熱プレス中、結合材料は、隣接する表面を一緒に結合するために熱活性化され、その上、構造にある程度の局部剛性を加え得る。この局部剛性は、ポケット９４０の形状を保持するために、かつ本明細書の別の部分に記載されるように、軸方向の伸張を制限するために特に有利である。この構成において、組み立てられた部品９５０，９５２、９５３、９５４、９５５、９５６、９５７は、ポケット９４０、空洞９４１、アクセス開口部９４２、およびセンサ開口部９４５を区画する。本体部品９５０の内側部分９５０Ｄは、他の部品（例えば、内側ポケット構造部品９５５）と組み合わさって、内壁９４４を区画し、外側部分９５０Ｅは、他の部品（例えば、外側ポケット内部部品９５２および舌部９５４Ｂ）と組み合わさって、外壁９４３を区画する。
【００６９】
図６４〜６７は、本明細書に記載され、かつ図１８〜４０Ｂに示される構成要素および技術を使用して、バンド９２０の製造するために使用され得る、金型９７０の例示の実施形態を示す。金型９７０は、図３７に示される組み立てられた内側および外側部分９５０Ｄ、Ｅの周囲で一緒にプレスされる、２つの金型プレート９７１、９７２を含み、これらの構成要素が組み立てられた方法で金型プレート９７１と金型プレート９７２との間の金型空洞９７３中で受容されるようにする。図６４〜６７に示される構成において、第１のプレート９７１は、内側部分９５０Ｄと接触し、第２のプレート９７２は、外側部分９５０Ｅと接触する。金型プレート９７１、９７２はそれぞれ、ポケット９４０を成形するために、金型空洞９７３内に二次空洞９７５を作る、拡大部分９７４を有する。プレート９７１、９７２の一方または両方は、ガスが成形中に逃げることを可能にするための１つ以上の穴９７８を含んでもよい。プラグ９７６は、図６５〜６７に示されるように、熱プレス中に内側部分９５０Ｄおよび外側部分９５０Ｅとの間に挿入されて、ポケット９４０の内側形状を形成する。図６５および６７に示されるように、プラグ９７６は、成形プロセス中にセンサ開口部９４５を通じて延在する突出部９７７を含む。熱プレスが完了した後、金型プレート９７１、９７２は分離され、プラグ９７６はポケット９４０から取り外され（開口部９４２などを通じて）、組み立てられたバンド９２０は、金型９７０から取り外される。図３８に示されるように、次いで、追加の製造ステップが取られてもよい。金型９７０およびその構成要素の構造および構成が、異なるサイズ、形状、構造などを有するバンド９２０のために変化し得ることが理解される。
【００７０】
完成後、アセンブリは金型から取り出され、バンド９２０の最終構造は、図３８に示されるように、平坦な部品として組み立てられる。保護シェル９４８は、熱プレスが完了した後に空洞９４１中の所定の位置に配置されてもよく、一実施形態において、接着剤または結合材料９５４Ｃによって接続されてもよい。グラフィック部品９５８は、熱プレス、ヒートシーリング、接着剤、または他の結合材料などによって、バンド９２０の外側表面９２８に接続されてもよい。加えて、シーム結合ストリップ９６１が、縁部を被覆するために、内側および外側部分９５０Ｄ、Ｅの折り畳まれた端部が接触する縁部に沿って配置される。バンド閉鎖トリムストリップ９６２は、本体部品９５０の端部を一緒に結合して、管状体９２１を形成するために使用される。本体部分９５０の側面が、管状体９２１を形成するための接続前に、バンド９２０の「傾斜」を作るために、角度のある形状などの形状に切断またはトリミングされてもよいことが理解される。これらのストリップ９６１、９６２は、熱プレス、ヒートシーリング、接着剤若しくは他の結合材料、編み／縫合、または他の技術によって接続されてもよい。これは、ポケット９４０が内側表面９２７上に区画された、バンド９２０の最終構造を形成する。ストリップ９６１、９６２はさらに、ユーザの腕にバンド９２０を引っ張って身に着けるためにバンド９２０を把持するための有効な位置を形成してもよく、具体的には、閉鎖トリムストリップ９６２は、それがバンド９２０の他の位置よりも低い伸張能力を有するため、有効な範囲を提供し得る。図３９Ａは、モジュール９４０がポケット９４０中に受容された、図１８〜３８に示されるように構造化されたバンド９２０を示し、図３９Ｂは、本明細書の別の部分に記載されるような同様のバンド９２０を示す。外側表面９２８上の開口部９４２、異なる位置若しくは方向のポケット９４０、異なる身体部分の上で使用するために異なって構成されたバンド９２０など、異なる構成を有するバンド９２０を形成するために、同様のプロセスおよび構成要素が使用されてもよいことが理解される。また、本明細書で一緒に接続されているものとして記載される構成要素が、他の実施形態では、他の種類の接着剤／結合材料、機械締結具、編み／縫合／縫製などの他の技術によって接続されてもよいことが理解される。
【００７１】
図６８〜７０Ｃは、ある特定の実施形態において、本明細書の別の部分に記載され、例えば、図１１〜１７並びに３９ＡおよびＢに示されるバンド９２０と共通した１つ以上の構成要素を含んでもよい、バンド９２０の別の実施形態を示す。ある特定の実施形態の例示のために、図６８〜９３で使用される参照番号は、以下で特に注記されない限り、図１〜６７に関連して使用される参照番号と一致しており、簡潔にするために、全ての参照番号が図６８〜９３に関して再び記載されていない場合がある。図６８は、バンド９２０の外側９２８を示し、図６９は、バンド９２０の内側９２７を示す。例えば、バンド９２０は、図３９Ｂの構成と同様に、バンド９２０の底端部９２４により近く（即ち、ユーザの手首により近く）位置付けられた表示器９３４およびボタン９３３、並びにバンド９２０の頂端部９２３により近く（即ち、ユーザの肘により近く）位置付けられたコネクタ９３５を有するモジュール９３０の挿入のために構成された、ポケット９４０を有する。別の実施形態では、ポケット９４０は、図３９Ａの構成と同様の配置など、異なって配置されてもよい。モジュール９３０は、図６８〜７０Ｃに示されない。ポケットの外壁９４３は、モジュール９３０上のボタン９３３と相互作用するように構成されたボタン部分９４７と、外壁９４３を通じて光９３４を見ることを可能にするように構成された窓９４６とを有する。ポケット９４０は、空洞９４１中へと延在し、センサ開口部およびアクセス開口部の両方としての機能を果たすように構成された、内壁９４４上の開口部９４２を有する。換言すれば、開口部９４２は、開口部９４２を通じた空洞９４１中へのモジュール９３０の挿入を可能にするのに十分大きく、開口部９４２の一部分は、センサ（複数可）９３２がユーザの身体にごく接近していることを可能にするために、モジュール９３０の突出部９３９が延在することを可能にする。
【００７２】
図６８〜７０Ｃのバンド９２０は、バンド９２０とは別に形成され、バンド９２０に接続されてポケット９４０を形成する、筐体９６３を利用する。筐体９６３の一実施形態は、図７４〜７５および７８〜８２に示される。筐体９６３は、一実施形態では、熱可塑性ポリウレタン（ＴＰＵ）材料から作製されてもよく、単一の部品で形成されるが（例えば、射出成形によって）、他の実施形態では、他の材料、複数の部品、および／または他の技術から部分的または完全に作製されてもよい。本実施形態の筐体９６３は、空洞９４１を完全に区画し、内壁９４４上の開口部９４２および外壁９４３上の窓９４６を区画する、適度に剛性のシェルである。一実施形態では、筐体９６３の剛性は、モジュール９３０を保護するのに十分剛性であり、バンド９２０のボタン部分９４７を押すことによって、ボタン９３３の操作を可能にするのに十分可撓性であってもよい。筐体９６３の剛性は、バンド９２０を形成する布材料の剛性よりも大きくてもよい。筐体９６３はまた、図７９に示されるように、バンド９２０の外側表面９２８上のボタン部分９４７によって、ボタン９３３の操作を容易にするために、かつ／またはボタン９３３の「感触」を強化するために、一実施形態では、外壁９４３上の突出部９８７を有してもよい。突出部９８７は、ボタン９３３の操作が筐体９６３の隣接部分の少量の移動／屈曲を必要とするように、ボタン９３３と軽く係合するか、またはボタン９３３にごく接近していてもよい。図７９の実施形態は、外壁９４３の内側表面に適用されるエポキシ材料から形成されたドーム形状の突出部として形成された、突出部９８７を有する。他の実施形態では、突出部は、筐体９６３と一体的に形成（例えば、成形）されるなど、異なって形成されてもよく、または異なって構造化されるか、若しくは位置してもよい。図７８〜８２に示されるように、例示された実施形態の筐体９６３は、開口部９４２の周囲で内方に延在し、ポケット９４０内でモジュール９３０を保持するように機能する、リップ９６４を有する。図７８、８０、および８２に示されるように、開口部９４２は、突出部９３９を所定の位置で保持するために、モジュール９３０の突出部９３９と係合するように構成された、狭くなった部分９６５を有し、リップ９６４は、狭くなった部分９６５の周囲に位置する、凹型部分９６６を有する。凹型部分９６６は、ユーザの皮膚へのより良好なアクセスを有するために、突出部９３９がリップ９６４に対してさらに外方に延在することを可能にする。筐体９６３はまた、モジュール９３０のコネクタ（複数可）９３５を包囲および保持するポケットを形成するように構成された、壁９６９を有する。
【００７３】
一実施形態では、筐体９６３はさらに、筐体９６３の周辺部の少なくとも一部分の周囲で外方に延在し、バンド９２０への接続のために構成された、フランジ９６７を有する。図７４および７５並びに７８〜８２に示される実施形態では、フランジ９６７は、筐体９６３の周辺部全体の周囲に、略単一面で延在する。他の実施形態では、フランジ９６７は、異なる構成（例えば、断続的）を有してもよく、または存在しない場合がある。概して、図７４および７５並びに７８〜８２に示される筐体９６３の外部表面は、美的感覚および筐体９６３がユーザの身体と係合するときの快適さの増大の両方のために、滑らかな輪郭である。
【００７４】
筐体９６３の窓９４６は、一実施形態では、空の通路であってもよく、または別の実施形態では、バンド９２０の外側表面９２８からの材料の侵入に抵抗するために、透明の充填剤を有してもよい。更なる実施形態では、窓９４６は、窓９４６を通じた光の透過を強化し、表示器９３４からの光を、幅広い角度から、バンド９２０の外側表面９２８においてより明るく見えるようにするために、光散乱および／または集光構造を含んでもよい。例えば、窓９４６は、一実施形態において、窓９４６と整合された透明のシリコンプリントを含んでもよい。別の例として、窓９４６は、別の実施形態において、窓９４６と整合されたシルクスクリーン生地または細かい織りの材料を有してもよい。更なる例として、窓９４６は、さらに別の実施形態では、接着剤または音波溶接によって接続されるポリカーボネートフィルムなど、窓９４６上で接続されたフィルムを有してもよい。様々な実施形態において、これらの構造が窓９４６内に位置してもよく、かつ／または窓９４６の内側および／若しくは外側表面にわたって位置付けられてもよいことが理解される。これは、筐体が表示器９３４の間にかなりの壁厚さを有し得、光をより暗くさせるか、または外周角から検出することをより困難にする可能性がある、図７８〜８２に示されるように筐体９６３とともに使用されるときに特に有利であり得る。
【００７５】
図７１〜９１は、図６８〜７０Ｃに示されるバンド９２０を製造するための１組の構成要素および方法の一実施形態を示し、それは、２つの層を形成するためにそれ自体の上に折り畳まれ、２つの層間に適用された縫合および／または接着剤によって結合される、一片の布地から作製されてもよい。バンド９２０が別の実施形態において、一緒に結合された２つ以上の別々の部品から作製されてもよいことが理解される。バンド９２０は、組み立てにおいて熱プレス操作を使用してもよく、熱活性化フィルムは、バンド９２０の部品を一緒に結合する。図８３〜９１に示される方法の実施形態は、より局部的な熱プレスを利用し、図１８〜３８および６４〜６７の方法にあるようなバンド９２０全体を熱プレスすることを伴わない。図７１〜８２は、図８３〜９１に関して以下でより詳細に記載される、図８３〜９１に示される方法で使用されてもよい、構成要素を示す。
【００７６】
図７１〜９１の実施形態では、本体部品９５０は、図８３に示されるように、弾性特性を有する布材料（例えば、ポリエチレン系材料）から形成（例えば、切断）され、折り線は、破線によって示される。グラフィック９５８は、必要に応じて、図８４に示されるように、シルクスクリーンなどによってバンド９２０の外側表面９２８に適用されてもよい。本体部品９５０は、筐体９６３がバンド９２０を通じて延在し、バンド９２０の内側表面９２７からアクセス可能であるための第１の穴９５０Ａと、窓９４６と整合され、かつ／または窓９４６の一部を形成する、第２の穴９５０Ｂとを有する。穴９５０ＡおよびＢは、図８５に示されるように、一実施形態では、切断またはレーザエッチングによって本体部品９５０に形成されてもよく、グラフィックの適用の前または後に形成されてもよい（グラフィックが適用される場合）。中央折り線は、本体部品９５０を、バンド９２０の内側表面９２７を形成する第１のまたは内側部分９５０Ｄ、およびバンド９２０の外側表面９２８を形成する第２のまたは外側部分９５０Ｅに分割し、本体部品９５０は、内側表面９５０Ｆと外側表面９５０Ｇとを有する（図８３〜９１中で陰影によって示される）。外側表面９５０Ｇは、組み立て後にバンド９２０の内側および外側表面９２７、９２８を形成し、内側表面９５０Ｆは、製造中にそれ自体の上に折り畳まれ、バンド９２０の内側および外側表面９２７、９２８の部分を形成しない。バンド９２０の内側および外側表面９２７、９２８上で可視的であるように構成されたグラフィック９５８が、本体部品９５０の外側表面９５０Ｇに適用されてもよいことが理解される。
【００７７】
図８６に示されるように、フレームボンド９８０は、第１の部分９５０Ｄの内側表面９５０Ｆ上の第１の穴９５０Ａの周囲に適用され、筐体９６３のフランジ９６７に結合するために構成され、光整合ボンド９８１は、第２の部分９５０Ｅの内側表面９５０Ｆ上の第２の穴９５０Ｂの周囲に適用され、窓９４６の周囲で筐体９６３に結合するために構成されている。この構成において、光整合ボンド９８１は、窓９４６を被覆し、光の通過を遮断する可能性がある、窓９４６に対する穴９５０Ｂの変位に抵抗する。光整合ボンド９８１は図８６中で適用されているものとして示されるが、一実施形態では、光整合ボンド９８１は、内側および外側部分９５０ＤおよびＥを一緒に折り畳む直前、図８９に示される段階で適用されてもよい。これらのボンド９８０、９８１は、組み立て中に構成要素を所定の位置で保持するために、一実施形態では、わずかな熱および圧力の適用によって最初にわずかに結合されてもよく、次いで、組み立て中のより後で、通常通りに結合されてもよい。結合材料のストリップ９６０はまた、図８６に示されるように、本体部品９５０の外側部分９５０Ｅの内側表面９５０Ｆの縁部にわたって配置され、折り畳み後に内側および外側９５０ＤおよびＥの縁部を一緒に結合するように構成されている。別の結合ストリップ９６８もまた、図８６に同様に示されるように、完成したバンド９２０の底端部９２４に更なる強度および構造支持を提供するために、中央折り線に沿って内側表面９５０Ｆ上に配置されてもよい。
【００７８】
次いで、筐体９６３は、図８７に示されるように、フランジ９６７が穴９５０Ａの周辺部の周囲に位置し、開口部９４２を含む筐体９６３の部分が穴９５０Ａを通じて突出するように、バンド９２０に接続されてもよい。フランジ９６７は、一実施形態では、フランジ９６７の一部若しくは全部の周囲を縫合すること、および／またはフレームボンド９８０に結合することによって、本体部品９５０の内側表面９５０Ｆに接続されてもよい。上記の通り、一実施形態では、フランジ９６７は、縫合前にフレームボンド９８０によって内側表面９５０Ｆに軽く、次いで、組み立て中のより後で、より強く結合されてもよい。筐体９６３がバンド９２０に接続された後、トリム部品９８３は、図８８に示されるように、本体部分９５０の内側部分９５０Ｄの外側表面９５０Ｇ上で接続されてもよい。このトリム部品９８３は、バンド９２０の内側表面９２７の一部を形成し、筐体９６３と本体部分９５０との間の接続を被覆する。トリム部品９８３は、様々な実施形態において、本明細書に記載される熱活性化材料から形成されてもよく、一実施形態では、所定の位置に熱プレスされてもよく、トリム部品９８３は、最初に軽くプレスされ、次いで、より後の時点でより強くプレスされてもよく、または最初に完全にプレスされてもよい。
【００７９】
一実施形態では、図７３に示される支持部品９８２もまた、本体部品９５０の折り畳み前に、筐体９６３と本体部品９５０の外側部分９５０Ｅの内側表面９５０Ｆとの間に位置付けられてもよい。図８３〜９１に示される方法は、この支持部品９８２を含まず、支持部品９８２（使用される場合）は、一実施形態では、図８８および８９中のステップの間で筐体９６３および本体部品９５０に接続されてもよい。支持部品９８２は、本明細書に記載される熱活性化材料から形成されてもよく、所定の位置に熱プレスされてもよい。支持部品９８２は、窓９４６と一直線上で切断された穴（図示せず）を有してもよい。この支持部品９８２は、例えば、図４０ＡおよびＢにあるように、グラフィックがポケット９４０および筐体９６３にわたって位置するバンド９２０の範囲の上または周囲に印刷される場合、グラフィックの伸張または歪みに抵抗するために含まれてもよい。グラフィックがこの位置に印刷されない場合、支持部品９８２は含まれない場合がある。
【００８０】
図９７〜９９は、本明細書に記載される様々な実施形態に従った、バンド９２０を製造するのに使用可能である筐体９６３の実施形態を示す。図１００および１０１は、図９７〜９９中の筐体９６３と同様の方法で構成された筐体９６３の別の実施形態を示し、図９７〜９９に関する本明細書の記載は、特に述べられない限り、図１００および１０１に等しく適用する。図９７〜９９中の筐体９６３は、筐体９６３の壁９９３のうちの１つ以上を通じて延在する、１つ以上のスロット９９２を含む。筐体９６３の壁９９３が空洞９４１を区画し、外壁９４３、内壁９４４、および場合によっては他の壁も同様に含んでもよいことが理解される。
【００８１】
スロット９９２は、水分が筐体９６３から容易に逃げることを可能にすることによって、使用中、筐体９６３内の水分（例えば、汗）の蓄積を回避するのに役立ち得る。一実施形態では、筐体９６３は、バンド９２０の底端部９２４に最も近く位置付けられた筐体９６３の端部、即ち、バンド９２０が通常の立位姿勢でのユーザの腕に装着されたときに底部にあるように構成された筐体９６３の端部に位置する、少なくとも１つのスロット９９２を含んでもよい。図９７〜９９中の筐体９６３は、筐体９６３が図６９〜７０Ａ、９１、および９６に示される方向でバンド９２０上に配置されたとき、この位置で外壁９４３の底端部上にスロット９９２を有する。この位置において、下向きのスロット９９２は、重力が水分をスロット９９２に向かわせる傾向があるため、水分の通過の増加を促進する。エクササイズ中に腕を振ることによって生成される遠心力もまた、水分を下向きのスロット９９２に向かわせ得る。筐体９６３はまた、様々な実施形態において、他の位置に１つ以上の追加のスロット９９２を有してもよい。例えば、筐体９６３はまた、図９７〜９９の実施形態にあるように、内壁９４４の左側および右側のうちの一方または両方にスロット９９２を有してもよい。これらの側面スロット９９２はまた、ランニングおよび多くの他のエクササイズ中に一般的であるように、ユーザの腕が９０°の角度で曲げられているときに、これらのスロット９９２のうちの１つが下向きになるため、重力および／または遠心力を通じて水分の通過の増加を促進し得る。
【００８２】
筐体９９２は、他の実施形態では、追加のスロット９９２および／または異なる位置に位置するスロット９９２を有してもよく、それは、重力および／または遠心力が水分の流動を促進する位置に位置付けられる場合も、位置付けられない場合もある。例えば、筐体９６３が、別の実施形態において、異なる方向に位置付けられる、例えば、図３９Ａの実施形態と同様に方向付けられる場合、下向きの筐体９６３の端部は異なってもよい。そのような実施形態では、スロット（複数可）９９２は、例えば、図９７〜９９の端部スロット９９２として、筐体９６３の反対側の端部にスロット９９２を有することによって、水分の通過の増加を促進するために、異なって位置してもよい。更なる実施形態では、筐体９６３は、左下および右下の角に位置するスロット９９２を有してもよい。なお更なる構成が他の実施形態で使用されてもよい。
【００８３】
図９７〜９９の実施形態のスロット９９２は、筐体９６３の外壁９４３に形成される。これらのスロット９９２は、外壁９４３の一部を形成し、フランジ９６７へと横方向に延在する、筐体９６３の側壁９９３Ａにおいて、少なくとも部分的または全体的に形成されると見なされてもよい。この位置において、スロット９９２は、フランジ９６７から外方に（バンド９２０の外側９２８に向かって）位置する、筐体９６３の部分の上にのみ位置付けられる。この構成は、水分が筐体９６３の内側から筐体の外部に移動し、バンド９２０の材料によって吸収されることを可能にする。他の実施形態では、スロット９９２は加えてまたは交互に（alternately）、別の部分に位置してもよい。例えば、筐体９６３は、水分がバンド９２０の外部に移動することを可能にする、内壁９４４の１つ以上のスロット９９２を含んでもよく、または筐体９６３は、スロット９９２を中に有してもよい他の露出表面（異なって構成されたバンド９２０中など）を有してもよい。加えて、スロット（複数可）９９２のサイズ（複数可）は、より大きいスロット９９２が、水分蓄積から形成し得るいかなるメニスカスも破壊するのを補助することができるため、水分の通過特性に影響を及ぼし得る。一実施形態では、筐体９６３の端部におけるスロット９９２は、それが位置する壁９９３の幅の少なくとも５０％であってもよく（即ち、フランジ９６７を含まない）、筐体９６３の側壁９９３上のスロット（複数可）９９２はそれぞれ、それが位置する側壁９９３の長さの少なくとも２０％であってもよい。さらに、筐体９６３は、水分が穴に向かって移動し、形成し得るいかなるメニスカスも破壊する能力を強化するために、筐体９６３の内側表面に適用される界面活性剤を有してもよい。界面活性剤の使用は、より小さいスロット９９２の使用を可能にし得る。
【００８４】
スロット９９２は、様々な実施形態において、多くの異なる形成技術のうちのいずれかを使用して形成されてもよい。例えば、一実施形態では、スロット（複数可）９９２は、レーザ切断、機械切断、熱切断、若しくは他の切断技術、機械加工技術、または他の材料除去技術を使用することによって、筐体が形成された後に筐体９６３中に形成されてもよい。別の実施形態では、スロット（複数可）９９２は、スロット（複数可）９９２を形成するように構成されたツールを用いて、筐体９６３の材料をプレスまたは成形することなどによって、形成プロセスの一部として形成されてもよい。例えば、上記の一体成形の射出成形されたＴＰＵ筐体９６３は、スロット（複数可）９９２を形成する空洞に射出成形されてもよい。当該技術分野において既知の他の技術も同様に使用され得る。
【００８５】
図９４および９５は、図８７に関して本明細書に記載されるように、例えば、縫合によって筐体９６３がバンド９２０に接続された後に、筐体９６３のフランジ９６７の周囲で熱プレスするために構成された、熱プレスアセンブリ９８８の一実施形態を示す。図９４および９５に示される熱プレスアセンブリ９８８は、筐体９６３のフランジ９６７の周囲で熱プレスするために構成された、２つの対向する金型部品９８９、９９０を含む。熱プレスアセンブリ９８８が筐体９６３とともにバンド９２０を熱プレスするために構成されていることを示すために、バンド９２０が図９５に概略的に示される。動作中、第１の金型部品９８９は、本体部品９５０の内側部分９５０Ｄの内側表面９５０Ｆ上に位置付けられ、第２の金型部品９８９は、本体部品９５０の内側部分９５０Ｄの外側表面９５０Ｇ上に位置付けられる。金型部品９８９、９９０は、環状の形状であり、それぞれ内部開口部９９１を有し、これにより、金型部品９８９、９９０は、筐体９６３のフランジ９６７の周囲でのみプレスするように構成されている。この構成において、筐体９６３の本体は開口部９９１内に受容され、これにより、金型部品９８９、９９０が筐体９６３の本体またはバンド９２０の隣接部分をプレスしないようにし、それは熱適用を局所化し、バンド９２０および筐体９６３のプレスされていない部分上の望ましくないマークまたは変色を作ることを回避する。図８８に示されるトリム部品９８３は、一実施形態では、熱プレスアセンブリ９８８の動作前に適用されてもよく、金型部品９８８、９８９の形状は、示されるように、トリム部品９８３の形状に適合する。熱プレスアセンブリ９８８は、図８７および８８に示される組み立てステップ後に、かつバンド９２０が図８９中で折り畳まれる前に（以下で考察される）、バンド９２０および筐体９６３に適用されてもよい。ヒートシール性材料の追加の部品が、熱プレスアセンブリ９８８に関連して様々な位置で使用されてもよい。例えば、図７３中の支持部品９８２は、本明細書で考察されるように、熱プレスアセンブリ９８８の動作前に適用されてもよい。金型部品９８８、９８９の構成が、筐体９６３およびトリム部品９８３（または使用され得るヒートシール性材料の他の部品）の形状および構成に応じて変化し得ることが理解される。
【００８６】
次いで、本体部品９５０は、図８９に示されるように、内側および外側部分９５０ＤおよびＥが互いに向き合うように、折り畳まれる。内側および外側部分９５０ＤおよびＥの外側表面９５０Ｇはそれぞれ、バンド９２０の内側および外側表面９２７、９２８を形成し、内側表面９５０Ｆは、この構成において、バンド９２０内で内部に位置する。シーム結合ストリップ９６１は、図９０に示されるように、縁部を被覆するために、内側および外側部分９５０ＤおよびＥの折り畳まれた端部が接触する縁部に沿って配置される。一実施形態では、ストリップ９６０、９６１、９６８、フレームボンド９８０、トリム部品９８３、光整合ボンド９８１、および任意に支持部品９８２（存在する場合）は、局部結合技術などによって、本プロセスのこの時点で完全に結合されてもよい。例えば、結合は、個々にかつ順次に各部品を結合することによって、または所望の位置で所望の部品をプレスし、バンド９２０の他の位置をプレスしないように構成されたツール表面を用いた熱プレスによって、達成されてもよい。本体部分９５０は、図９１に見られるように、角度のある縁部を形成するために、本体部品９５０の端部９５０を切断することなどによって、本プロセスのこの時点で所定のサイズに切断されてもよい。バンド閉鎖トリムストリップ９６２は、図９１に示されるように、本体部品９５０の端部を一緒に結合して、管状体９２１を形成するために使用されてもよい。一実施形態では、本体部品９５０の端部は、最初に巻かれて管状体９２１を形成し、次いで、継ぎ目に沿って一緒に縫合され、次いで、縫合部を被覆し、接続を固定するために、バンド閉鎖トリムストリップ９６２が適用される。バンド閉鎖トリムストリップ９６２は、組み立てられたときにバンド９２０の内側および外側表面９２７、９２８の両方に巻き付き、バンド閉鎖ストリップの一実施形態は、図７０Ｃでより詳細に見られる。一実施形態では、閉鎖トリムストリップ９６２は、上記の追加の熱プレス動作に続いて、局部的に熱プレスされる。トリムストリップ９６２のステッチおよび接続後、ポケット９４０が内側表面９２７上に区画された、バンド９２０の最終構造が形成される。
【００８７】
バンド９２０は、管状体９２１のサイズ（即ち、外周）を調節可能にするために、一実施形態では、調節機構がさらに備わっていてもよい。そのような調節機構の例は、バンド９２０がユーザの身体の一部分に巻かれ、締結されて管形状を形成し得るような、調節可能な締結構造、または異なる位置で締結されてバンド９２０を締めるか、若しくは緩めてもよい折り畳み式タブ若しくはフラップを含んでもよい。そのような調節機構のために使用され得る締結構造としては、フックアンドループ（即ち、Ｖｅｌｃｒｏ）、スナップ、クリップ、バックル、タイなどが挙げられる。そのような調節機構の他の例としては、上記のように締結され得る、締め付けストリップ若しくはストラップ、または引き紐が挙げられる。調節機構の更なる例が他の実施形態で使用され得る。図９２および９３は、そのような調節機構のために使用され得る構造の例示の実施形態を示す。例えば、図９２は、一端でバンド９２０の縁部に近接して固定され、反対側の端部で解放可能なコネクタ９８５（本実施形態ではＶｅｌｃｒｏ）を有する弾性タブ９８４を備える、バンド９２０を示す。弾性タブ９８４は、局部的に圧縮を増加させるために伸張および再接続され得、それにより、バンド９２０をユーザの身体によりしっかりと取り付けさせる。タブ９８４は、本実施形態では、バンド９２０の頂端部９２３において接続されるが、他の実施形態では、別の部分に位置し得る。別の例として、図９３は、バンド９２０の長さの大部分に沿って延在する弾性コードまたは引き紐９８６を備えたバンド９２０を示し、一端は、バンド９２０の１つの縁部の近くで固定され、もう一端は、バンド９２０の反対側の縁部の近くで解放可能なコネクタ９８５（本実施形態ではＶｅｌｃｒｏ）を有する。コード９８６は、本実施形態では、バンド９２０の頂端部９２３において接続されるが、他の実施形態では、別の部分に位置し得る。コード９８６は、バンド９２０の頂端部９２３の全長の大部分に沿って圧縮を増加させるために、伸張および再接続され得る。調節機構のさらに異なる実施形態が他の実施形態で使用され得る。
【００８８】
図４１は、激しい身体的活動中に使用され得るアームバンド内に挿入可能であるなど、衣料または他のデバイスと関連して使用され得るモジュール９３０の斜視側面図を示す。モジュール９３０は、本明細書の別の部分に記載される１つ以上の機械、電気、および／または電気機械構成要素、並びにモジュール９３０のための構造構成を形成するケーシング９３１を含んでもよい。モジュール９３０は、プロセッサ、非一時的なコンピュータ読み取り可能媒体、センサ、および／またはトランシーバのうちの少なくとも１つを備えてもよい。１つ以上の構成要素が、図１〜５中で上記に図示および記載される任意の構成要素と同様および／または同一であってもよい。当業者は、モジュール９３０およびケーシング９３１が複数の異なる構造構成を有してもよく、図が単に例示的であることを理解するであろう。
【００８９】
図４１の実施形態では、モジュール９３０は、例えば、心拍センサ、またはユーザの別の生理学的パラメータを検知するための他のセンサの形態であってもよい、少なくとも１つのセンサ９３２を有する。モジュール９３０は、ユーザの皮膚と接触するように構成されてもよい一方で、モジュール９３０は、バンドまたは装置内で固定される。例えば、この例示された実施形態の心拍センサ９３２は、皮膚と接触またはごく接近して最良に動作する光センサである。図４１に示されるように、モジュール９３０のケーシング９３１は、下側９３６上に突出部９３９を有し、センサ９３２は、突出部９３９の端部上に載置される。突出部９３９は、ケーシング９３１の周囲表面からさらに離れてセンサ９３２を延在させ、ユーザの身体との連続的な接触を形成するためのより大きい能力を可能にする。バンド９２０は、突出部の前面がユーザの皮膚と接触することを可能にする開口部を有してもよいが、下側９３８の残りの部分は、バンド９２０内で保持されるか、または材料の少なくとも１つの層によってユーザの皮膚から少なくとも離れている。一実施形態では、材料の層は、ユーザの皮膚上の検知表面から離れて水分（例えば、汗）を逃すように構成されてもよい。他の実施形態では、それは、水分、光、および／または物理的材料が、身体的活動中に検知表面または位置と接触することを防止するように構成されてもよい。一実施形態では、それは、ある特定の波長の光を選択的に遮断してもよい。ある特定の実施形態では、少なくとも９５％の周辺光が、検知表面のすぐ近くの場所内で遮断される。別の実施形態では、少なくとも９９％の周辺光が遮断される。これは、光心拍センサなどの光センサに対して有利であり得る。当業者は、図１〜５ン関連して上記に記載されたセンサを含む他のセンサが、本開示の範囲から逸脱することなく、単独で、互いまたは他のセンサと組み合わせてのいずれかで使用され得ることを理解するであろう。
【００９０】
１つの一般的な実施形態では、モジュール９３０は、ユーザ作動式入力を提供するために、例えば、ボタン９３３などの１つ以上のユーザ入力インターフェイスを含んでもよい。例示のユーザ入力インターフェイスは、下側９３６と反対側の頂部側９３７上に示される、単一の機械ボタン、例えば、ボタン９３３からなってもよい。さらに他の実施形態では、表示特徴９３４が、ユーザ入力インターフェイスとして構成されてもよい。当業者は、１つ以上のユーザ作動式入力もまた、モジュール９３０の１つ以上のトランシーバを通じて受信され得ることを理解するであろう。例えば、システムは、ユーザがボタン９３３を使用して模倣し得る電子モバイルデバイスにユーザ入力を入力するか、あるいは、作動ボタン９３３の特定のインスタンスで利用可能なものとは異なる機能を実施することが可能であり得るように構成されてもよい。モジュール９３３は、１つ以上の表示特徴９３４をさらに備えてもよい。
【００９１】
一実施形態では、バンドまたは装置のポケット９４０は、ユーザに少なくとも１つの視覚的印を提供する表面上の表示特徴９３４を有する、モジュール９３０を受容するように構成されてもよい。表示特徴９３４は、発光ダイオードなどの単純な光源であってもよい。特定の実施形態では、表示特徴における少なくとも１つの光源の色、強度、または照明パターンが、ユーザに視覚指示を提供するために使用されてもよい。当業者は、ＬＥＤ、ＯＬＥＤ、ＬＣＤなどのより複雑な表示デバイスが利用され得ることをさらに理解するであろう。聴覚および触覚などの他の出力機構は、本開示の範囲内である。
【００９２】
モジュール９３０は、外部デバイスへの充填および／または接続のための１つ以上のコネクタ９３５をさらに含んでもよい。一実施形態では、コネクタ９３５は、１つ以上のユニバーサル・シリアル・バス（ＵＳＢ）標準に準拠し得るものなど、シリアルバス接続を含んでもよい。一実施形態では、コネクタ９３５は、モジュール９３０の１つ以上のトランシーバを介して伝送され得る、外部デバイスへの少なくとも同じ電子情報を提供するように構成されてもよい。
【００９３】
図４１の実施形態のモジュール９３０が、図１１および１２並びに３６〜３９Ｂに示されるポケット９４０内に受容されるとき、コネクタ９３５はシェル９４８内に受容され、ケーシング９３１の下側９３６は、ポケット９４０の内壁９４４と接触して位置付けられ、ケーシング９３１の頂部側９３７は、ポケット９４０の外壁９４３と接触して位置付けられる。この配置において、突出部９３９は、センサ開口部９４５を通じて延在し、ユーザの身体とより近接してセンサ９３２を配置し、ボタン９３３は、外壁９４３上のボタン部分９４７に隣接して位置付けられ、光９３４は、窓９４６と整合して位置付けられて、外壁９４３を通じて光９３４を見ることを可能にする。センサ開口部９４５を通じて延在し、かつある特定の実施形態における突出部９３９は、モジュール９３０を所定の位置で保持するのを補助し得る。この構成において、コネクタ９３５と反対側のモジュール９３０の端部は、モジュール９３０の取り外しのための把持を容易にするために、アクセス開口部９４２からわずかに突出する。
【００９４】
ケーシング９３１は、ユーザの皮膚にごく近接したモジュール９３０の装着の快適さを高めるための構造構成を有してもよい。例えば、ケーシング９３１は、薄い形状を作るために平坦な構成を有し、モジュール９３０がユーザの身体に装着されているときにあまり目立たないようにする。別の例として、ケーシング９３１は、快適さを強化するために、下側９３６および頂部側９３７上の曲線の輪郭、並びに曲線縁部または面取りした縁部を有してもよい。
【００９５】
図４２〜５９は、異なって構成されたケーシング９３１を有する様々なモジュール９３０の幾つかの追加の実施形態を示す。例えば、図４２は、平坦端ケーシング９３１と、表示特徴（例えば、光源）９３４を上に有するボタン９３３とを有する、モジュール９３０を示す。図４３は、コネクタ９３５の反対側の端部付近の光９３４、単一ボタン９３３を有し、かつセンサ９３２において突出部がない、モジュール９３０を示す。図４４は、ボタン９３３を包囲する光９３４を除いて、図４３のモジュールと同様のモジュール９３０を示す。図４５は、頂部側９３７上ではなく、コネクタ９３５の反対側の端部に位置する照明付きボタン９３３、９３４を有する、モジュール９３０を示す。図４６〜５９は、多くの異なる方法で形状決定、サイズ決定、および構成された突出部９３９の例を有する、様々な異なる実施形態を示す。図５７は、ボタン９３３が頂部側９３７から窪んでいる、モジュール９３０を示す。特徴の異なる構成および配置を有するモジュールのなお更なる例が企図される。
【００９６】
図６０〜６３は、図４１の実施形態と同様に、下側９３６上に突出部９３９を有するケーシング９３１を有し、センサ（例えば、心拍センサ）が突出部９３９の端部上に載置された、モジュール９３０の追加の実施形態を示す。モジュール９３０は、図６０に見られるように、頂部側９３７上のボタン９３３など、１つ以上のユーザ入力インターフェイスを含む。図６０〜６３の実施形態のモジュール９３０のケーシング９３１は、快適さを強化するために、曲線縁部または面取りした縁部を有する。別の実施形態では、図６３に示されるように、モジュール９３０はまた、ＵＳＢコネクタ９３５の下側に保持構造９３５Ａを含んでもよい。この保持構造９３５Ａは、例えば、シェル９４８に係合することによって、ポケット９４８内でコネクタ９３５を維持するのを補助し得る。このモジュール９３０が本明細書に記載されるように利用され得、本明細書に記載される追加または代替の特徴を有し得ることが理解される。図６８〜７０および７８〜８２に示されるバンド９２０の筐体９６３は、図６０〜６３に示されるモジュール９３０に適合するように構成されている。
【００９７】
ある特定の実施形態では、センサまたはセンサの群の位置、方向、または構成を説明するなど、デバイスまたはシステムを校正するために、コンピュータ実行可能命令が使用されてもよい。一例として、モジュール９３０は心拍センサを含んでもよい。心拍センサは、バンドの上または中で正しく方向付けられたときに、心拍センサがユーザに対してある特定の方向に位置するか、または方向付けられるように構成されてもよい。例えば、心拍センサが光心拍センサである場合、それは、皮膚への距離範囲内であってもよい（複数の軸および位置に対して）。さらに、１つ以上のセンサが、バンド内で正しく方向付けられた（例えば、ポケット内に配置された）ときに、センサの接触がユーザ（例えば、ユーザの皮膚あるいはユーザの衣服）と連通しているように構成されるように、構成されてもよい。センサの方向または位置に関するあまりの多くの分散は、不正確かつ／または不明確なデータをもたらす可能性がある。ある特定の実施形態では、センサ（複数可）の適切なまたは好ましい方向（複数可）または位置（複数可）を決定するために、生であるか、または計算されたかのいずれかの１つ以上のセンサ測定値が利用されてもよい。
【００９８】
測定値は、モジュール９３０など、方向付けられるデバイス上の１つ以上のリモートまたはローカルセンサに基づいてもよい。例えば、ある特定の実施形態では、ユーザのボディマス指数（ＢＭＩ）または別のパラメータが計算されてもよい。計算は、少なくとも部分的に、方向付けられるデバイス上に位置する１つ以上のセンサに基づいてもよい。センサ測定値（複数可）に基づき、デバイス自体上にあってもよいＵＩ、リモートデバイス、および／または方向付けられる（若しくは再び方向付けられる）デバイスと電子通信しているデバイスが、ユーザにデバイスを再び方向付けるように指示および／または誘導してもよい。他の実施形態では、それは、方向付けのためのユーザ入力を提供するために、ユーザ入力デバイスを提供してもよい。例えば、弱いまたは不明確な値を単に検出し、センサまたはデバイスの方向付けを推奨または要求し得る従来技術のデバイスとは異なり、本明細書に開示される実施形態は、データを使用して、問題および／または解決法を知的に決定し得る。一実施形態では、ユーザが別の位置にデバイスを装着するべきか、かつ／またはその方向を変更するべきか判定するために、ユーザのＢＭＩまたは他のデータが使用されてもよい。例えば、ユーザのＢＭＩが正常な範囲内にあるが（例えば、２０〜２５として一般的に許容される）、心拍数データが閾値未満であるパラメータの計算で利用される場合、ある特定の実施形態では、追加の分析が実施されて、心拍センサが調節されるべきかどうか考慮し得る。以下でより詳細に説明されるように、更なる実施形態は、計算で使用されるパラメータの１つ以上の計算を増強することに関する。
【００９９】
システムおよび方法は、不正確かつ／または不明確なデータ収集を低減するために実装されてもよい。一実施形態では、バンドは、ユーザの付属肢または四肢上などの位置の範囲内に装着されるように構成されてもよい。「前腕」の使用の例に関して、前腕は、肘関節と腕または付属肢の手根との間の距離と考慮され得、さらに、論理的に近位領域および遠位領域に分割され得る。例えば、前腕の近位領域は、ユーザの肩に最も近い前腕の一部分（例えば、最大で半分）を含み、同様に、遠位領域は、手根に接続する前腕の一部分（例えば、最大で残りの半分）を含む。この点で、バンド９２０は、前腕の近位領域で装着されるように構成されてもよい。一実施形態では、バンド全体が、前腕の近位の半分内で保持されるように構成されている。一実施形態では、バンドは、前腕（または上腕）の距離などに対する運動活動中の特定の位置において保持されるように構成され、センサ測定位置は、前腕に沿った距離の１％または０．５％未満移動するように構成されている。さらに他の実施形態では、バンドは、前腕に沿った距離に対して特定の距離内移動するように構成されてもよいが、少なくとも１つのセンサ（モジュール９３０のセンサなど）は、より小さい距離移動するように構成されてもよい。例えば、一実施形態では、バンド９２０は、前腕の長さに沿って約１ｍｍの移動を可能にするように構成されてもよいが、モジュールまたはモジュールの検知表面は、同じ軸に沿って０．５５ｍｍの移動のみ可能にするように構成されてもよい。上述のように、１つ以上の測定値が、この範囲、センサから皮膚への距離、並びに他の位置寸法および／または方向を変更することを指示し得る。一実施形態では、バンド９２０は、モジュールの検知表面（または検知位置）を、手根から少なくとも所定の距離で保持するように構成されている。これは、バンド９２０、モジュール９３０の機械特性によるものであり得、かつ／またはバンド９２０および／若しくはモジュール９３０の不正確かつ／または正確な使用の指示を提供するセンサの結果としてのものであり得る。さらに別の実施形態では、検知表面は、手根から離れた距離の２０％に少なくとも位置する。別の実施形態では、バンドは、バンドの検知表面を、肘関節からの距離の少なくとも所定の距離（または同等）で保持するように構成されてもよい。
【０１００】
一実施形態では、モジュール９３０の位置、モジュールの検知表面、検知位置、および／またはバンド９２０を検出するために、モジュールの１つ以上のセンサ（単独で、および／または他の外部センサと）が利用されてもよい。これは、直接または間接的に行われてもよい。ある特定の実施形態では、１つ以上の非一時的なコンピュータ読み取り可能媒体が、コンピュータ実行可能命令を含んでもよく、次いで、プロセッサによって実行されるとき、プロセッサに少なくとも位置校正ルーチンを実施させる。コンピュータ読み取り可能媒体（複数可）は、モジュール、モバイル若しくはセルラーデバイスなどの外部電子デバイス、および／またはこれらの組み合わせに完全に位置してもよい。１つ以上の校正ルーチンは、１つ以上の基準を検知することによって（例えば、モジュールのセンサを用いて）作動することなどにより自動で起動されてもよく、またはルーチンを起動するユーザなどによる手動起動を通じてもよい。
【０１０１】
運動活動中の動作は、関節および屈曲筋肉を含む解剖学的構造の身体的動作を自然に引き起こす。一例として、屈曲筋肉は、センサ検知表面および／または検知位置の位置および方向の相対的および絶対的な変化を引き起こし得る。本明細書で考察されるように、不正確さを引き起こす屈曲を低減または排除するための位置に位置するバンド、検知表面、および／または検知位置を有することは、従来技術のシステムと比較して、そのような検知システムの有用性を改善する。例えば、本デバイス（または位置（複数可））は、一実施形態では、前腕の緊張を低減または排除するために位置付けられてもよい。別の実施形態では、システムおよび方法は、実際の、かつ／または予想された屈曲または解剖学的動作の程度を識別するために実装されてもよい。更なる実施形態では、１つ以上の校正または補正因子が、屈曲または他の解剖学的動作に基づきセンサ測定値に適用されてもよい。一実施形態では、１つの筋肉または筋肉群の屈曲のみが考慮されてもよい。これは、他の筋肉の屈曲が存在する場合でさえ当てはまり得る。
【０１０２】
図６は、異なる動作に基づき、心拍センサの出力の平均と異なるエクササイズを比較するチャートを示す。具体的には、図６を見ると、Ｙ軸は複数の異なるエクササイズを含む。エクササイズは、各説明に先行して数字１、２、または３によって示される３つのセクションに分類される。数字は、単に異なる群を区別するために使用され、本開示の目的では図６に対して他の意義は有しない。エクササイズを区別することによって、「全力勝負（Fullbout）セット」エクササイズが提供され得、それは、カテゴリ（１、２、および３）において各エクササイズを含む。図６に示されるチャートのＸ軸は、平均心拍数測定値に対する信頼区間を示す。図６に見られるように、前腕筋肉において緊張を引き起こすことが概して既知のエクササイズは、同じ筋肉においてより少ない緊張を引き起こす他のエクササイズよりも低いスコアを得た。例えば、「ＣｎＪ」、「スラスター」、および「ローイング」の全てが、「ボックスジャンプ」と比較して前腕筋肉においてより大きい緊張を必要とする。
【０１０３】
したがって、ある特定の実施形態は、動作を検出し、かつ／または幾つかの動作を説明するために使用されてもよい。更なる実施形態では、校正は、変化が指定の範囲内であることを確実にするために、特定の種類の運動活動前に実施されてもよい。その範囲は、特に、人口統計情報、実施される活動の種類、既知の補正因子若しくは制限、またはこれらの組み合わせによって決定されてもよい。一実施形態では、ユーザは、特定の筋肉または筋肉の群内で既知の緊張（または緊張の範囲）を誘発するための動作を実施するように指示されてもよい。一実施形態では、システムおよび方法は、ユーザにある特定の筋肉または筋肉の群を屈曲させるために実装されてもよい。例えば、ユーザは、図６に示される１つ以上の活動を含む、特定の運動活動または活動の群を実施するように指示されてもよい。一実施形態では、センサ測定値は、個々の屈曲を決定するために使用されてもよく、それは、ユーザの解剖学的および／または生理学的特徴によって影響を受け得る。一実施形態では、コンピュータ読み取り可能媒体は、プロセッサによって処理されたときに、校正中のセンサ測定値の結果を、同様にモジュール９３０上に全体的または部分的に記憶され得る他の因子と組み合わせ得る、コンピュータ実行可能命令を含んでもよい。例はとしては、ユーザの性別、体重、年齢、および／または他の属性などの人口統計情報が挙げられる。
【０１０４】
更なる実施形態では、ユーザのＢＭＩ、並びに／または他の人工統計学的、生理学的、生物学的、および／若しくは解剖学的パラメータなどの他の属性が、例えば、光心拍センサなどのセンサデータの処理を増強するために、ある特定の実施形態に従って利用されてもよい。光の透過率、反射率、後方散乱、および／または他の特性を含む、光心拍測定で利用される光の光学特性は、単独で、組み合わせて、かつ／または相乗的に、筋肉量、脂肪組織を作る作り上げる脂質、水分、電解質レベル、および／または他の内容物若しくはそのような内容物の特性などのユーザの体型によって影響を受け得る。以下で考察されるように、そのような内容物の位置的分布は、ある役割を果たし得る。本開示の態様は、運動パラメータ、例えば、ＢＭＩ、脂肪組織の存在（測定によって伝送若しくは受信される光学的光波の範囲に近いか、若しくはその範囲内のいずれか、あるいは、全身若しくは前腕、腕の後部、ウエスト、臀部などの局部）、および／または水和レベルの指示を受信し、かつ（１）例えば、心拍数測定値の測定に割り当てられる体重などの測定値を得るために使用されるアルゴリズム若しくはプロセスを変更または増強すること、または測定の異なる波長および／若しくは周波数を使用すること、（２）心拍数（または特定のセンサからのデータ）を測定値として使用するかしないかを決定すること、（３）センサの位置特性を解剖学的に変化させること、およびセンサの再配置を支持することを含む、（例えば、異なるセンサまたはセンサの集合からの）心拍数が計算され得る方法を調節すること、並びに／または（４）集合的または個々に、心拍数測定プロトコルを調節または増強するものと称され得る、１つ以上のプロセスからの心拍数測定値を再解釈することなどであるがこれらに限定されない、心拍数測定に関する１つ以上の態様を調節し得るシステムに関する。
【０１０５】
１つの説明に役立つ例として、図７は、１つ以上のプロセスを増強するために実装されてもよい、フローチャート７００を示す。フローチャート７００に示されるように、運動パラメータ（例えば、ＢＭＩなど）は、モジュール９３０上に位置するプロセッサなどによって取得または決定されてもよい（例えば、ブロック７０２）。パラメータは、単一のセンサからの単一のパラメータまたは１つ以上のセンサからの複数のパラメータであってもよい。更なる実施形態では、単一のパラメータが、幾つかのサブパラメータから計算または決定されてもよい。ある特定の実施形態では、ユーザの性別、体重、および／または身長などのパラメータは、予め決定されてもよい。しかしながら、以前の計算で予め決定されていてもよい体重または他のパラメータは、センサデータを使用して確認またはリフレッシュされてもよい。ＢＭＩを測定する例示の実施形態では、最も広く受け入れられている計算は、体重（ｋｇ）を身長２（ｍ２）で割ること、したがって、ＢＭＩ＝体重／身長２である。ブロック７０２のパラメータ（複数可）は、閾値レベルとして利用されてもよい（例えば、決定７０４）。基準が満たされている場合、例えば、閾値または範囲ルールが動作基準内である場合、デフォルト心拍数測定プロトコルは制定され得る（例えば、ブロック７０６）。プロトコルは、測定値を得るための特定のアルゴリズムであってもよく、かつ／または光の特定の波長および／若しくは光強度を使用してもよい。ある特定の実施形態では、閾値を超える（若しくは満たさない）か、または値の範囲内ではない値は、プロセッサに二次心拍数測定プロトコルを実行させてもよく（例えば、ブロック７０８）、それは、例えば、心拍数測定値に割り当てられる体重若しくは信頼値、測定値としての心拍数の利用、心拍数が計算され得る方法を調節すること、および／または１つ以上のプロセスからの心拍数測定値を解釈すること、並びに本明細書で提供される心拍数測定プロトコルの任意の他の変更など、実装される異なるアルゴリズムまたは増強される別のプロセスを指示し得る。例示のパラメータとしてＢＭＩを使用して、約２５のＢＭＩ値（「正常」と「肥満」との間の分割線として一般的に受け入れられている）は、閾値であってもよく、さらに別の実施形態では、約２０のＢＭＩ（「低体重」と「正常」との間の分割線として一般的に受け入れられている）が利用されてもよい。当業者は、複数の閾値または範囲が使用されてもよく、それはより高い、より低い、かつ／またはこれらの値の間であってもよいことを理解するであろう。概して、上記のように、ユーザのＢＭＩは、体重（ｋｇ）身長２（ｍ２）で割ることによって計算され、したがって、ＢＭＩ＝体重／高さ２である。その入力を所与として、ＢＭＩ値は、個々の特定の体型または他の因子（それらのうちの幾つかは本明細書に記載される）に基づき、人為的に上昇または低下させられ得る。ある特定の実施形態では、ＢＭＩスコアを加重または増強するために、他の基準が利用されてもよい。更なる実施形態では、他の基準がＢＭＩとは独立して使用されてもよい。ＢＭＩは、ある特定の実施形態では使用されない場合があり、異なる測定基準がその代わりに潜在的に使用されてもよい。
【０１０６】
この点で、本発明者らは、除脂肪身体構造を有する個人が、周辺光を遮断し、他の変数を制御しているときでさえ、光心拍モニタからの不明確かつ／または不正確な心拍数測定の影響を受けやすい可能性があると断定している。例えば、図８〜１０に示されるように、チャート８００は、少なくとも部分的に、ｙ軸（要素８０４）に沿ってプロットされた、光心拍センサを使用した心拍数測定値に基づいた、プロセッサによって計算され得るパフォーマンススコア（例えば、勝負スコア）に対してプロットされた、ｘ軸（要素８０２）に沿った例示のパラメータ（例えば、ＢＭＩ）を示す。最初に図８を見ると、勝負スコアに対するＢＭＩパラメータの相関である、線８０６は、以下を使用して、最良適合として表現され得る：勝負スコア＝１．６３２７ＢＭＩ＋２４．８１１。この特定の実施形態では、線８０６は、Ｒ２値＝０．０６０９を示す。図８のチャート８００を見ると、より低いＢＭＩスコアを有する個人間のパフォーマンススコアは、より高いＢＭＩスコアを有する個人よりも多くの変動を示す。さらに、４０未満の各パフォーマンススコア（ｙ軸８０４に対して）を、ＢＭＩ＜２５を有する個人から収集した。図９および１０は、特に、説明に役立つ例において、図８に示されるデータの部分母集団を示し、図９は、男性個人から取得された対応するデータ点を示し、図１０は、女性個人取得された対応するデータ点を示す。図９に示されるように、パフォーマンススコア（例えば、勝負スコア）に対するＢＭＩパラメータの相関である、線８０８は、勝負スコア＝４．１９６２ＢＭＩ−４２．３０５を使用して、最良適合として表現され得る。この特定の実施形態では、Ｒ２は、＝０．３００１であってもよい。図１０に示されるように、例示のパフォーマンススコア（例えば、勝負スコア）に対するＢＭＩパラメータの相関である、線８１０は、勝負スコア＝−０．４２５８ｘ＋８３．７７２を使用して、最良適合として表され得る。この特定の実施形態では、Ｒ２は、＝０．００９８であってもよい。性別の差は、位置的分布、量、および他の変数を含む、脂肪組織および脂質貯蔵に関して存在する。したがって、一実施形態では、ブロック７０２は、性別、年齢、または他のパラメータ（単独でまたは組み合わせて）を決定して、閾値未満のＢＭＩ（および／または他のパラメータ）を有するユーザからの心拍数を測定するために利用され得る第１のアルゴリズム、並びに閾値を超える、かつ／または閾値を満たすユーザからの心拍数を測定するために使用され得る第２のアルゴリズムを実装することを決定してもよい（例えば、ブロック７０６および７０８）。複数の閾値が使用されてもよい。
【０１０７】
ある特定の実施形態では、決定７１０は、第２のパラメータが範囲外であるか、または閾値に違反しているかを判定するために、ブロック７０２後に実装されてもよい。第２のパラメータは、第１のパラメータの導出を含む、本明細書で考察されるパラメータを含む、任意のパラメータであってもよい。閾値違反がない、かつ／または基準が満たれている場合、現在のインプレイス心拍数測定プロトコルが完全なまま残されている可能性がある（例えば、ブロック７１２）。あるいは、決定７１０が、ある特定の実施形態において否定的である場合は、現在のプロトコルの１つ以上の態様を修正し得る（例えば、ブロック７１４）。例えば、本明細書で考察されるか、または当該技術分野において既知のいずれかなど、１つ以上の基準を満たす１人以上の個人において心拍数を検出するために、異なる光波長が使用されてもよい。なお更なる実施形態では、スカラーが、１つ以上の基準を満たす個人から取得された心拍数測定値に適用されてもよい。光センサ、温度センサなどからの環境的キューおよびデータは、ユーザの脂肪組織、筋肉量などへの洞察を提供し得る即値および／または長期センサデータをさらに提供してもよい。さらに、ある特定の実施形態では、センサとユーザの皮膚との間の距離は、プロトコルの変さらに基づき、自動的に調節されるか、または手動で行われるように要求されてもよい。
【０１０８】
さらに別の実施形態では、１つ以上の補正因子および／または校正値は、ユーザが実施している運動活動を検出することに基づき、変更または作成されてもよい。検出は、モジュール９３０からのセンサ測定値に部分的にまたは完全に基づいてもよい。一実施形態では、外部データは、例えば、ユーザの電子モバイルデバイスおよび／または別のフィットネスデバイスなどから受信および利用されてもよい。一実施形態では、運動活動を決定するために、ユーザのスケジュール、過去の運動データ、友人のデータ、履歴分析、手動ユーザ入力、位置データ、および／またはこれらの組み合わせ、並びにその他からのデータが使用されてもよい。一実施形態では、例えば、ユーザがより高い屈曲値と関連付けられた運動活動を実施しているか、または実施する可能性があることが決定されてもよく、したがって、バンド９３０、モジュール９４０、および／または別の装置がある特定の位置内にあるか、または１つ以上の検知パラメータを調節することなどであるがこれを含まない動作状態内にあることを確認することなど、１つ以上の命令が実行されてもよい。さらに別の実施形態では、ユーザは、バンド９２０を再校正するために、１つ以上の異なる動作または活動を実施するように要求されてもよい。更なる実施形態では、ユーザは、特定の位置にバンド９２０またはモジュール９３０を位置付けるように指示されてもよい。なお更なる実施形態では、ユーザは、特定のモジュールを使用するように指示されてもよい。例えば、交換可能なモジュールは、異なる活動（および／またはユーザ選好）に対する異なる因子に基づき、感度の増大、異なる検知特徴、および／または快適さに関して交換されてもよい。
【０１０９】
様々な実施形態において、ユーザは、モジュール９３０、バンド９２０を再配置する、かつ／または１つ以上の分析を実施するためのフィードバックを得ることができる。さらに、本システムは、ユーザに範囲／百分率が許容可能であるかどうかを判定させるか、またはむしろ、本システムの構成要素を再配置させるか、若しくは取り換えるなどのために、ユーザの範囲または百分率を示すためのフィードバックを提供してもよい。
【０１１０】
追加のハードウェア
図１０２〜１１１は、図６８〜７０Ｃに示されるバンド９２０の特徴の幾つかまたは全部を含む、バンド９２０とともに使用するための実施形態を示し、図７１〜９１に示される方法と同様の方法で製造されてもよい。したがって、すでに記載されたものと同様である図１０２〜１１１のバンド９２０の特徴および製造技術は、簡潔にするために必ずしも再び記載されない。すでに記載された同様の構成要素は、同様の参照番号を使用して言及されてもよい。
【０１１１】
図１０２〜１１１の実施形態では、バンド９２０は、筐体９６３に接続され、かつ／あるいはポケット９４０内に受容され、モジュール９３０がポケット９４０内に受容されたときにモジュール９３０への接続のために構成された、入力デバイス１０００を含む。入力デバイス１０００は、バンド９２０の外壁９４３などを通じて、バンド９２０の外側表面９２８からアクセス可能である１つ以上のボタン１００１を上に有する。入力デバイス１０００は、図１１１に示されるように、外部デバイス１００２との通信のために構成され、上記のコンピュータデバイス２００の構成要素のうちのいずれかを有してもよい。一実施形態では、入力デバイス１０００は、外部デバイス１００２との通信のために構成された無線送信機１００３（トランシーバの一部であってもよい）と、モジュール９３０のコネクタ９３５への接続のためのポート１００４と、場合によっては、ボタン（複数可）１００１、送信機１００３、およびポート１００４の操作のための小型メモリおよび／またはプロセッサとを含む。一実施形態では、入力デバイス１０００は、内部動作システムまたは重要なソフトウェアを含まない場合があり、入力デバイス１０００は、ボタンプレス（複数可）１００１のシーケンスおよび／または長さに伴って、ボタン１００１が押されたという信号を単純に伝送するように構成されてもよい。
【０１１２】
入力デバイス１０００のボタン（複数可）１００１は、触覚／機械ボタン、タッチスクリーン、感圧ボタン、またはユーザによるタッチを検知することが可能である他のデバイスを含む、多くの異なる種類のうちの１つであってもよい。幾つかの種類のボタン１００１が、操作のためにバンド９２０の外壁９４３を通じた窓または他の通路を必要とし得ることが理解される。図１０２〜１１１の実施形態では、入力デバイス１０００は、触覚ボタン１００１を含む。入力デバイス１０００は、図１０２〜１１０に示され、かつ以下に記載されるように、１つ以上の追加のボタン１００１を含んでもよい。例えば、図１０２〜１０９の実施形態のそれぞれは、主ボタン１００１Ａと、任意の追加の音量調節ボタン１００１Ｂとを有する。ボタン（複数可）１００１の操作の様々な技術および方法もまた以下に記載される。バンド９２０はまた、図１０９に示されるように、ボタン（複数可）１００１を起動するためにどこを押すのかをユーザに知らせるために、外側表面９２８上に印１００８を有してもよい。
【０１１３】
上記のトランシーバの一部であってもよい送信機１００３は、図１１１に示されるように、１つ以上の外部デバイス１００２との無線通信のために構成されている。図１０２〜１１１の実施形態のいずれかがそのような送信機１００３を有し得ることが理解される。一実施形態では、送信機１００３は、ＢｌｕｅｔｏｏｔｈまたはＢｌｕｅｔｏｏｔｈ  Ｌｏｗ  Ｅｎｅｒｇｙ（ＢＴＬＥ）送信機であってもよい。他の実施形態では、送信機１００３は、Ｗｉ−Ｆｉ送信機などの異なる伝送、周波数、プロトコルなどを使用してもよい。
【０１１４】
ポート１００４は、任意の接続構造を含んでもよく、ポート１００４の構成は、それが接続されるモジュール９３０の構成によって決まり得る。図１０２〜１１１の実施形態では、ポート１００４は、図６０〜６３のモジュール９３０上のＵＳＢコネクタ９３５と接続するように構成されたＵＳＢまたはＵＳＢ互換ポートである。ポート１００４が、モジュール９３０とデータを交換するためではなく、入力デバイス１０００の操作のためにモジュール９３０から電力を引き出すためだけに構成され得るため、ポート１００４が、一実施形態では、典型的なＵＳＢポートのハードウェアの全てを含まない場合があることが理解される。別の実施形態では、入力デバイス１０００は、例えば、ポート１００４を通じてモジュール９３０から／にデータを受信および／または伝送すること、並びに送信機１００３を通じて外部デバイス１００２から／にデータを受信および／または伝送することによって、モジュール９３０と外部デバイス１００２との間の無線通信インターフェイスとして動作するように構成されてもよい。
【０１１５】
入力デバイス１０００はさらに、ユーザに様々な信号（例えば、アラート）を通信するために、振動モータまたは他の触覚フィードバック機構１００９（図１０６に概略的に示される）など、触覚フィードバック特徴を含んでもよい。入力デバイス１０００は、一定の振動、パルス振動などの異なる種類の触覚フィードバックを提供するために構成されてもよい。入力デバイス１０００は、特定の触覚フィードバックを生成するために、外部デバイス１００２からの信号を受信してもよい。一実施形態では、入力デバイスが単に信号を受信し、触覚フィードバックを生成する必要があるように、いつ触覚フィードバックを生成するのか、およびどの触覚フィードバックを生成するのかの決定が、外部デバイス１００２によって実施される。外部デバイス１００２は、例えば、電話の着信、緊急アラート、活動マイルストーンの達成、または他の事象など、特定の出来事の場合に特定の触覚フィードバックを提供するためのユーザ設定を利用してもよい。触覚フィードバックは、以下に記載される様々なアプリケーションおよび機能に関連して使用されてもよい。
【０１１６】
入力デバイス１０００は、様々な実施形態において、ポケット９４０および／若しくは筐体９６３内に位置付けられてもよく、ポケット９４０および／若しくは筐体９６３に隣接して位置付けられてもよく、ポケット９４０および／若しくは筐体９６３の一部を形成してもよく、またはモジュール９３０に接続された別個の要素であってもよい。図１０２および１０３の実施形態では、入力デバイス１０００は、筐体９６３内に永久または取り外し可能に接続される別個のデバイスである。本実施形態の入力デバイス１０００は、開口部９４２の狭くなった部分９６５（即ち、モジュール９３０のコネクタ９３５が受容される部分）に近接して、筐体９６３の端部内に位置付けられたケーシングの形態であってもよく、ポート１００４は、筐体９６３によって区画されたポケット９４０に面する開口部を有する。この位置において、モジュール９３０は、図１０６に概略的に示されるように、コネクタ９３５がポート１００４内に受容されるように、筐体９６３に挿入され得る。入力デバイス１０００は、一実施形態では、接着剤若しくは他の結合技術、締結具、一体形成、または他の技術などによって、筐体９６３内に永久に接続されてもよい。入力デバイス１０００は、別の実施形態では、筐体９６３内に取り外し可能に接続されてもよい。そのような取り外し可能な入力デバイス１０００は、図１０７〜１１０に示され、かつ以下に記載されるように、モジュール９３０との接続または切断のために、筐体から取り外されてもよい。あるいは、そのような取り外し可能な入力デバイス１０００は、入力デバイス１０００および／若しくは筐体９６３上の解放可能な保持構造、活動中若しくはポート１００４からモジュール９３０を取り外している間に入力デバイス１０００を所定の位置で保持するのに十分である高摩擦フィット、または他の取り外し可能な構成などによって、モジュール９３０が接続および切断される際に、筐体９６３内で保持されてもよい。筐体９６３はまた、ボタン１００１へのアクセスを容易にするための特徴を有してもよい。例えば、図１０３に示されるように、筐体９６３は、ボタン（複数可）１００１へのアクセスを可能にするために、外壁９４３上に１つ以上の開口部１００５を有する。別の実施形態では、筐体９６３は、上記の突出部９８７と同様に、筐体９６３上に及ぼされる力がボタン（複数可）１００１を確実に起動することができるように、ボタン（複数可）１００１に隣接した外壁９４３の内側表面上に、１つ以上の突出部を有してもよい。
【０１１７】
図１０４および１０５の実施形態では、入力デバイス１０００は、筐体９６３の一部を形成するか、または筐体９６３との一体構造の一部を形成する。本実施形態の入力デバイス１０００は、開口部９４２の狭くなった部分９６５に近接した筐体９６３の端部を形成し、筐体９６３のものと実質的に連続的である外形および輪郭を有する。図１０４および１０５に示されるように、入力デバイス１０００は、筐体９６３のフランジ９６７と連続的であるフランジ９６７を有する。入力デバイス１０００は、筐体９６３と連結し、筐体９６３は、入力デバイス１０００のポート１００４が筐体９６３によって区画されたポケット９４０と通信して配置されるように、ポケット９４０と通信している、入力デバイス１０００に隣接した開放端部１００６を有する。この構成において、モジュール９３０のコネクタ９３５は、図１０６に概略的に示されるように、モジュール９３０が筐体９６３に挿入されたときに、ポート１００４内に受容される。入力デバイス１０００は、例えば、本明細書の別の部分に記載される永久のまたは取り外し可能な接続技術のうちの１つを使用することによって、一実施形態では、筐体９６３内で永久に接続されてもよく、または別の実施形態では、筐体９６３内で取り外し可能に接続されてもよい。本実施形態では、ボタン（複数可）１００１は、図１０５に示されるように、入力デバイス１０００の外側表面上に位置付けられてよい。
【０１１８】
図１０７および１０８の実施形態では、入力デバイス１０００は、モジュール９３０とともに筐体９６３およびポケット９４０への挿入およびそれらからの取り外しのために構成された、別個のデバイスである。これらの実施形態のそれぞれの入力デバイス１０００は、筐体９６３の外側のポート１００４にモジュール９３０のコネクタ９３５を挿入し、次いで、モジュール９３０および入力デバイス１０００を筐体９６３に同時に挿入することによってモジュール９３０に接続される、ケーシングの形態である。いったん挿入されると、入力デバイス１０００は、図１０２に示される位置と同様に、開口部９４２の狭くなった部分９６５に近接して、筐体９６３の端部内に位置付けられる。接続された構造１００７を形成するための入力デバイス１０００へのモジュール９３０の接続、および筐体９６３によって区画されたポケット９４０への接続された構造１００７の挿入が、図１１０に概略的に示される。図１０７の入力デバイス１０００は、主に音量調節ボタン１００１Ｂの位置の点で図１０８の入力デバイス１０００とは異なり、それは、図１０７の実施形態では、入力デバイス１０００の上面に位置し、図１０８の実施形態では、入力デバイス１０００の側面に位置する。筐体９６３および／またはバンド９２０が、開口部１００５、突出部９８７、印１００８などを含む、ボタン（複数可）１００１を操作するための特徴の有効な位置などによって、図１０７および１０８の入力デバイス１０００のうちのいずれかと使用するために構成されてもよいことが理解される。
【０１１９】
図１０２〜１１０の入力デバイス１０００は、図６８〜７０Ｃに示されるバンド９２０に関連して使用可能であり、かつ図７１〜９１に示されるように製造されるものとして図示および記載される。他の実施形態では、本明細書に記載される入力デバイス１０００の様々な実施形態が、本明細書に記載されるバンド９２０の他の実施形態、例えば、図３９ＡおよびＢに示され、かつ図１８〜３８に示されるように製造される、バンド９２０と利用されてもよい。入力デバイス１０００および／またはバンド９２０がそのような組み合わせのための好適な機能性を提供するために修正されてもよいことが理解される。
【０１２０】
上記のように、入力デバイス１０００は、図１１１に示されるように、送信機１００３を通じた外部デバイス１００２との通信のために構成されている。外部デバイス１００２は、上記のコンピュータデバイス２００の任意の構成要素を含んでもよく、身体的活動中のユーザによって担持され得るか、またはユーザの近くに位置付けられ得る携帯電話または他のモバイルデバイスであってもよい。同様に上記のように、入力デバイス１０００は、ボタンプレス（複数可）１００１のシーケンスおよび／または長さを含む、ボタン（複数可）１００１の起動を示すボタン入力によって、外部デバイスに信号を伝送するように構成されてもよい。外部デバイス１００２は、入力としてボタン入力を受信し、ボタン入力に基づき更なるアクションを取るように構成されたソフトウェアを含んでもよい。例えば、外部デバイス１００２上のソフトウェアは、ボタン１００１のプレスの特定のシーケンス（例えば、１回、２回、若しくは３回タップ）を、異なる入力信号として解釈し得、かつ／または長くホールドするボタン１００１のプレスをボタンタップとは異なるものと解釈し得る。さらに、外部デバイス１００２は、異なる目的のための異なる入力としてボタン入力を解釈および使用するようにプログラムされ得、デバイス１００２は、ボタン入力の解釈を管理する、様々な予めプログラムされ、かつ／またはユーザが選択した設定を含んでもよい。外部デバイス１００２は、設定に従ってボタン入力によって制御および／または影響される様々なアプリケーションおよび機能性を含んでもよい。
【０１２１】
入力デバイス１０００は、同時にまたは代わりに、複数の外部デバイス１００２と通信していてもよく、モジュール９３０は、入力デバイス１０００および／または外部デバイス１００２と通信していてもよい。入力デバイス１０００および／または外部デバイス１００２はまた、ビデオおよび／または静止画取り込みが可能であってもよいボディに載置されたカメラなどの外部カメラ１００８と通信していてもよい。カメラ１００８は、入力デバイス１０００からの入力によって直接制御されてもよく、またはボタン入力は、カメラ１００８を制御するための命令として、外部デバイス１００２によって使用されてもよい。入力デバイス１０００および／または外部デバイス１００２はまた、追加のデータの収集および／または通信のために、図４および５に示され、かつ本明細書に記載されるアセンブリ４００、３０４などの１つ以上のアセンブリと通信していてもよい。外部デバイス１００２が異なる種類の入力デバイス、例えば、モジュール９３０、図４に示されるアセンブリ４００、または他の装着可能なアセンブリ（例えば、スマートウォッチ）からのボタン入力を受信してもよいこと、および本明細書に記載される外部デバイス１００２の方法、機能、および動作が、本明細書に記載される実施形態に従って入力デバイス１０００と使用することに制限されないことが理解される。例えば、以下に記載される機能およびアプリケーションは、入力デバイス１０００または任意の他の入力デバイスからの入力なしで、外部デバイス１００２によって操作されてもよい。なおさらに、外部デバイス１００２によって実施される情報の一部の処理が、もう一方のデバイスからの更なる情報を処理および受信するために、別のデバイス（例えば、サーバ）に情報を送信することを含んでもよいことが理解される。
【０１２２】
一実施形態では、外部デバイス１００２は、図１１２に示されるように動作してもよい。この動作方法において、外部デバイス１００２は、デバイス１００２のユーザ入力を通じて、または入力デバイス１０００からのボタンプレスの特定のシーケンスを通じてなど、ユーザからの複数の設定のうちの１つの選択を受信し、デバイス１００２の機能を管理する。設定は、同様に動作するための１つ以上の特定のアプリケーションを含んでもよい。次いで、外部デバイス１００２は、入力デバイス１０００からのボタン入力を受信する。次いで、外部デバイス１００２は、設定選択に基づきボタン入力を解釈し、ボタン入力の回略に基づき１つ以上のアクションを取ることができる。ボタン入力に基づき取られ得るアクションの例の包括的ではないリストは、情報を記憶または削除すること、１つ以上の他のデバイスに信号を送信すること、通話を開始、応答、または終了すること、テキスト、写真、またはビデオメッセージを送信すること、情報をウェブサイト、ソーシャルメディアアウトレット、ブログ、ＲＳＳフィードなどに投稿すること、特定の人々のグループおよび／または他のデバイスと情報を共有すること、位置信号を伝送すること、外部デバイス１００２によって再生されている音楽および／またはビデオを制御すること、外部デバイス１００２の一体型カメラまたは外部カメラ１００８を含む、外部デバイス１００２と関連したカメラを制御すること、モジュール９３０と相互作用すること、モジュール９３０から受信されたデータを伝送すること、外部デバイス１００２および／または入力デバイス１０００の電源をオンまたはオフにすること、並びに他の機能を含む。アクションを取った後、外部デバイス１００２は、同じ設定を使用して機能し続けてもよく、または他の設定の選択を受信してもよい。入力デバイス１０００を使用して外部デバイス１００２に入力を伝送することは、ユーザがデバイス１００２に直接アクセスすることなく、またはユーザがデバイス１００２をすぐそばで保持していない（例えば、スポーツイベント中にベンチ上のジムバッグの中に位置する）場合でさえ、外部デバイス１００２を制御することを可能にし得る。これは、ある特定の身体的活動中に直接操作することが困難または不可能であり得る、外部デバイス１００２、並びにカメラ１００８およびモジュール９３０などの他の構成要素の使用の汎用性を大いに改善する。
【０１２３】
電話
外部デバイス１００２が入力デバイス１０００に関連して使用し得る１つの潜在的なアプリケーションまたは機能は、外部デバイス１００２内に一体化される電話などの電話機の操作である。例えば、予め選択された番号に電話をかけるため、着信に応答するため、保留に切り替えるため、電話を終了するため、スピーカフォンを起動／非アクティブ化するため、音量を変えるため、および他の機能のために、ボタン入力が使用されてもよい。これは、身体的活動中に困難であるか、または使い勝手が悪い可能性がある外部デバイス１００２への直接的なアクセスなしで、電話機が操作されることを可能にする。無線ヘッドセットまたはイヤピースが同様に電話機に関連して使用されてもよい。一実施形態では、入力デバイス１０００は、電話と使用され得る音量調節のための専用ボタン（上記のボタン１００１Ｂ）を含んでもよい。電話機操作は、本明細書で考察される安全アプリケーション（複数可）などの他の機能またはアプリケーションに関連して使用されてもよい。通話のための予め選択された電話番号、並びに入力デバイス１０００に対する電話機の様々な制御機能が、ユーザ設定によって制御され得ることが理解される。
【０１２４】
音楽
外部デバイス１００２が入力デバイス１０００に関連して使用し得る別の潜在的なアプリケーションまたは機能は、外部デバイス１００２内に一体化されるか、または外部デバイス１００２によって制御される音楽またはビデオプレーヤなどの音楽またはビデオプレーヤの操作である。ボタン入力は、特に、再生、一時停止、リピート、早送り、巻き戻し、電源オン／オフ、再生する特定の曲または表示する特定のビデオ若しくは写真の選択、および音量調節などの機能のために使用されてもよい。一実施形態では、入力デバイス１０００は、音楽若しくはビデオプレーヤと使用され得る音量調節のための専用ボタン（上記のボタン１００１Ｂ）を含んでもよく、または別の実施形態では、主ボタン１００１Ａのシーケンスがそのような特徴を制御してもよい。予め選択された特定の曲、並びに入力デバイス１０００に対する音楽またはビデオプレーヤの様々な制御機能が、ユーザ設定によって制御され得ることが理解される。
【０１２５】
カメラ
外部デバイス１００２が入力デバイス１０００に関連して使用し得る別の潜在的なアプリケーションまたは機能は、外部デバイス１００２内に一体化されるか、または外部デバイス１００２によって制御される音楽またはビデオプレーヤなどの音楽またはビデオプレーヤの操作である。ボタン入力が、写真、一連の写真、またはビデオを撮影すること、写真またはビデオを伝送、アップロード、および／または共有すること、露光、感度、フィルタ、またはビデオ記録速度などのカメラまたはメディア設定を制御すること、並びに他の機能などの機能のために使用されてもよい。カメラ操作は、本明細書で考察される安全アプリケーション（複数可）などの他の機能またはアプリケーションに関連して使用されてもよい。例えば、外部デバイス１００２は、安全のために、かつ／若しくは共有目的で、安全性の問題が指示されたときはいつでも、または予期しない停止がランニングのルートに沿って検出されたときに、カメラ１００８を起動させるように構成されてもよい。入力デバイス１０００に対するカメラの様々な制御機能が、ユーザ設定によって制御され得ることが理解される。
【０１２６】
マッピング
外部デバイス１００２が入力デバイス１０００に関連して使用し得る別の潜在的なアプリケーションまたは機能は、外部デバイスのマッピング特徴および／またはアプリケーションの操作である。ボタン入力は、マップにアクセスすること、目的地若しくはウェイポイントを設定すること、現在の位置を記憶若しくは伝送すること、別のユーザ若しくはデバイスの位置を見つけること、または様々な他の制御などの機能のために使用されてもよい。マッピング操作は、本明細書で考察される安全アプリケーション（複数可）などの他の機能またはアプリケーションに関連して使用されてもよい。入力デバイス１０００に対するマッピング特徴の様々な制御機能が、ユーザ設定によって制御され得ることが理解される。
【０１２７】
活動追跡および共有
外部デバイス１００２が入力デバイス１０００に関連して使用し得る別の潜在的なアプリケーションまたは機能は、活動追跡および／または共有アプリケーションであり、ユーザは、指定されたグループのメンバー間での共有など、他の人々と活動情報を共有することができる。そのような活動情報の例としては、活動セッション情報、写真、テキスト投稿、位置、並びに他の種類の情報が挙げられる。ボタン（複数可）１００１は、他の人々と情報を迅速に共有するために使用され得る。例えば、様々なボタンシーケンスが、活動追跡を開始若しくは終了すること、活動中の所望の一時的な点若しくは位置にマークを付けること、１つの種類の活動から別の種類の活動へ追跡を切り替えること、外部デバイス１００２上に活動情報を表示すること、または他の機能などの追跡機能のために使用されてもよく、様々なボタンシーケンスはまた、活動セッションデータを共有すること、写真若しくはビデオを撮影若しくは共有すること、現在の位置を共有すること、別のユーザの位置を検出すること、または指定された人に予めプログラムされたテキストメッセージ（例えば、「私はランニングを開始／終了しています」）を送信することなどの機能を共有するために使用されてもよい。そのような予めプログラムされたメッセージの内容、並びに入力デバイス１０００に対するアプリケーションの様々な制御機能が、ユーザ設定によって制御され得ることが理解される。
【０１２８】
一実施形態では、外部デバイス１００２は、他のユーザ（複数可）の位置および速度、計画されたランニングルート、または他の情報など、別のユーザ（例えば、１つ以上の他のランナー）によって共有された活動情報を取得し、次いで、この情報を表示および／またはさらに処理することができる。そのような更なる処理は、ユーザが他のユーザに追いつくためのペースおよび／または近道を計算すること、他のユーザと会うためのルートを計画すること、他のユーザにユーザ自身の情報を伝送することなどを含んでもよい。例えば、ユーザが予め計画されたルートの組織された集団でのランニングに遅れて到着する場合、デバイス１００２は、ユーザが、予め計画されたルート並びに他のランナーの位置および速度に基づき、他のランナー（複数可）に追いつくためのルートおよびペースをプロットすることができる。別の例として、ユーザに大きなレースで競っている友人がいる場合、デバイス１００２は、友人を位置付け、ユーザが、レースルート並びに友人の位置および速度に基づき、友人に追いつくためのペースを設定することができる。更なる例として、デバイス１００２は、ユーザが追いつくのを容易にするために、前の例の他のランナー（複数可）にメッセージを送信して、彼らのペースを下げ、かつ／または別のルートを取ることができる。上記のルートのプロッティングはさらに、安全情報に基づき、既知のまたは疑わしい安全上の危険を回避するルートをプロットすることなどによって、本明細書に記載される安全性特徴を組み込んでもよい。
【０１２９】
別の実施形態では、外部デバイス１００２は、活動追跡および音楽プレーヤアプリケーションを一緒に組み合わせて、ユーザが入力デバイス１０００のみを使用して、両方のアプリケーションを制御し、２つのアプリケーションを切り替えることを可能にし得る。図１１３は、入力デバイス１０００上の主ボタン１００１Ａを使用して、これらの２つのアプリケーションを制御し、かつ切り替えるための制御スキームの一例を示す。図１１３の制御スキームがこれらの２つのアプリケーションの制御を切り替えるが、その切り替えが、ユーザによって要求されない限り、選択解除されたアプリケーションを非アクティブ化する必要はないことが理解される。他の制御スキームが他の実施形態で使用され得、制御スキームは、ユーザ制御の設定によって少なくとも部分的に決定付けられてもよい。図１１３の例と同様の制御スキームが、入力デバイス１０００を使用して、２つ以上の異なるアプリケーションまたは機能を同時に制御し、そのようなアプリケーションまたは機能を切り替えるために、外部デバイス１００２の他のアプリケーションおよび機能に関連して使用され得る。
【０１３０】
更なる実施形態では、活動追跡アプリケーションは、デバイス１００２が異なる活動選択のために異なって動作するように、ユーザがリストから活動を選択することを可能にする、活動選択設定を含んでもよい。例えば、デバイス１００２は、１つの活動のためのボタン入力を解釈するためのユーザ設定の１セットと、異なる活動のためのボタン入力を解釈するためのユーザ設定の別のセットとを有してもよい。別の例として、デバイス１００２および／またはモジュール９３０は、異なる活動選択に基づき、異なって動作データを収集および解釈してもよい。更なる例として、デバイス１００２は、活動選択に基づき、異なる目的で異なる種類の触覚フィードバックを提供するように、入力デバイス１０００に指示してもよい。他の例示の選択が同様に使用されてもよい。
【０１３１】
安全アラート
入力デバイス１０００に関連して外部デバイス１００２が使用し得る別の潜在的なアプリケーションまたは機能は、攻撃、事故、犯罪、火事などの起こり得る安全性の問題を他の人々にアラートすることができる、安全アラートアプリケーションである。一実施形態では、外部デバイス１００２は、友人および／または家族にアラートすること、警察または救急サービスに通報することなど、入力デバイス１０００によって他の人々に連絡を取るよう信号が送られたときにそうするようにプログラムされてもよい。例えば、入力デバイス上の特定のボタンプレスシーケンスは、予めプログラムされたテキスト若しくは他のメッセージ（例えば、援助要請）を送信するために、ユーザの位置を伝送するために、予め選択された受信者に電話を開始するために、安全性の問題に関する情報を伝送および／若しくは記憶するために、聴覚アラームを開始するために（例えば、外部デバイス１００２上のスピーカを通じて）、カメラ１００８を用いて写真若しくはビデオを撮影するために、または他の機能のために、デバイス１００２を制御してもよい。聴覚アラームは、サイレン若しくは他のアラート音、音楽プレーヤからの音楽、または他の聴覚アラームを含んでもよく、デバイス１００２は、アラームを出すと、任意のヘッドフォンまたは同様の装置を自動的に非アクティブ化してもよい。１つの特定の例として、１つのボタンシーケンスがユーザの位置を他と自動的に共有してもよく、別のボタンシーケンスが、安全性の問題の指示によってユーザの位置を共有してもよい一方で、第３のボタンシーケンスは、緊急アラートを生成してもよい。緊急連絡先の同定および任意の自動メッセージの内容を含む、入力デバイス１０００に対するアプリケーションの様々な制御機能が、ユーザ設定によって制御され得ることが理解される。
【０１３２】
一実施形態では、デバイス１０００、１００２は、安全情報を共有するために、ユーザのグループまたはネットワークの一部として使用されてもよい。例えば、ユーザのデバイス１００２は、指定されたグループと目的とするランニング情報（例えば、目的とする距離、ランニング時間、開始および終了地点など）を共有して、安全性の問題が生じた場合に、そのグループに、ユーザが特定の時刻に大体どこにいるのかを知らせてもよい。特定の目的とするルートも同様に共有されてもよい。デバイス１００２はまた、グループに位置更新を定期的に送信してもよく、位置更新は、定期的に自動で、ユーザからの指示後に（例えば、入力デバイス１０００を通じて）、または動作が変更したこと（例えば、ランニングの停止若しくは一時停止）の検出後に実施され得る。そのようなグループは、互いと全ての安全情報を共有するように構成されてもよく、一時的または持続的なグループとして前もって設定されてもよい。別の例として、外部デバイス１００２は、グループ内の他の人々に緊急アラートまたは安全情報を送信するように構成されてもよい。別の例として、外部デバイス１００２は、緊急アラートが別のユーザによって受信されたときに、自動的に緊急電話に応答すること、または聴覚アラームを起動することなど、指定のアクションを取るように構成されてもよい。一実施形態では、別の指定されたユーザが緊急アラートＳＭＳメッセージを送信する場合、外部デバイス１００２は、アラートメッセージ後の特定の期間内に、または他のユーザが後続のアラート非アクティブ化メッセージを送信するまでいつでも、他のユーザからのいかなる電話も自動的に応答するようにプログラムされてもよい。更なる例として、外部デバイス１００２は、ユーザがネットワーク内の別のユーザによって識別された潜在的危険にさらされているか、または接近しているときに、ユーザにアラートするように構成されてもよい。
【０１３３】
別の実施形態では、デバイス１０００、１００２は、安全情報システムの一部として使用されてもよい。安全情報システムは、１つ以上のサーバおよび多くの他の電子デバイスを含んでもよいネットワーク環境内で操作されてもよい。安全情報システムを通じた通信は、サーバを通じて、またはデバイス間で直接行われてもよい。本システムは、様々な種類の安全情報を収集および提供してもよい。例えば、安全情報システムは、複数の異なるユーザ／外部デバイス１００２を含むデバイスから、ユーザによって生成された安全情報を収集することができる。そのような安全情報は、緊急アラートの位置および時間、他の起こり得る安全性の問題、並びに集められた定性的安全情報を含んでもよい。安全情報が肯定的な安全情報並びに否定的な安全情報を含んでもよいことが理解される。異なる種類の定性的安全情報の例としては、不審者が集合することが既知であるエリア、隔離したまたは荒れ果てたエリア、街灯がほとんどまたは全くないエリア、歩道がないエリア、人気がある歩行者専用ルート、ユーザに安全ではないと「感じさせる」エリア、雨の後に頻繁に氾濫するエリア、および他の種類の定性的情報が挙げられる。定性的情報は、定量的スケールでの「危険性」の評価など、何らかの定量的構成要素も含んでもよい。安全情報はまた、公的にアクセス可能であってもよく、かつ／または犯罪データ集約に基づき個人的に生成されてもよい、犯罪マップを含んでもよい。安全情報は、位置、時刻、安全性の問題が一時的であるか、または持続的であるかどうか、安全性の問題の種類（例えば、犯罪、火事、疑わしい脅威、天候または環境危険、野生生物など）、定量的危険評価、および他の分類によって分類されてもよい。
【０１３４】
安全情報システムは、多くの異なる方法で安全情報を提示または提供してもよい。一例として、デバイス１００２は、現在のエリアにおいて、または計画されたルートに沿って、別のユーザによって最近生成された安全アラートの指示を生成してもよい。別の例として、デバイス１００２は、履歴または集約安全情報が、現在のエリア、計画されたルートのエリア、またはユーザが近づこうとしているエリアが潜在的な安全性の問題を含むことを示すという指示を生成してもよい。図１１４は、ユーザの位置に近いエリアにおける潜在的な安全上の危険を示す、外部デバイス１００２上の表示器の一例を示す。安全性の問題の指示は、最近起きている事象、または安全性の問題が履歴情報に基づき存在することが既知であるか、若しくは存在すると考えられる時刻など、安全性の問題が時間に依存する場合、現在の時間またはユーザがエリアに入ると予測される時間を考慮に入れてもよい。安全性の問題の指示はまた、関連するエリアの特定のサイズを考慮に入れてもよい（例えば、ユーザの周囲および／または安全性の問題の周囲の放射状の範囲）。別の例として、デバイス１００２は、方向転換すること、代替ルートを示唆すること、非難することなど、安全性の問題に応答して示唆されたアクションを生成してもよい。そのような示唆されたアクションは、安全性の問題の性質、デバイス１００２によって実施される計算（例えば、代替ルート）、公共の緊急通知（例えば、重大な気象注意報）、および他の情報に基づいてもよい。図１１５は、安全上の危険を回避するために、ユーザに代替ルートを示唆する、外部デバイス１００２の表示器の一例を示す。
【０１３５】
ルート推奨
入力デバイス１０００に関連して外部デバイス１００２が使用し得る別の潜在的なアプリケーションまたは機能は、ランニングルート推奨アプリケーションであり、デバイス１００２は、所望のランニング位置、所望の開始または終了地点、所望のランニングの長さ、所望のランニングの時刻、安全情報（上記のような）、ルートの質評価（景色、ランニングの困難さまたは容易さなど）などの他のユーザによって生成された情報、および他の要因を含む様々な情報に基づき、ユーザにランニングルートを推奨することができる。一実施形態では、ユーザは、デバイス１００２の所望のランニング情報を入力してもよく、本デバイスは、ランニング情報に適合し、上述の安全性の問題を回避するランニングルートを生成する。デバイス１００２は、同様に上記のような新しい安全情報に基づき、前もってランニングルートを動的に変更してもよい。ユーザは、今後のランニングルートを生成するときにデバイス１００２および／または他のユーザのデバイスによって使用されてもよい、安全情報およびルートの質評価またはコメントを含む、ランニングに関する任意の情報を、同様にランニング中または後の他のユーザと共有することが可能であってもよい。入力デバイス１０００に対するルート推奨アプリケーションの様々な制御機能が、ユーザ設定によって制御され得ることが理解される。
【０１３６】
デバイス１０００、１００２のルート推奨機能はまた、より大きいルート推奨システムおよびネットワークに関連して使用され得る。本システムは、特定のランニングルートに関する様々なユーザからの情報を集約し、その情報を使用して、ユーザによって定義された基準に基づき、今後のランニングルートを生成してもよい。例えば、本システムは、安全情報およびルートの質評価またはコメントを、ユーザおよびユーザのデバイス１００２に利用可能にし得る。別の例として、本システムは、特定のエリア内の「推奨された」ランニングルートを作成および／または記憶してもよく、推奨されたルートを走るユーザは、安全性および／または質の情報など、ルートに関する情報を生成することができる。そのようなユーザによって生成された情報が、ある特定の時刻にのみ存在する安全性の問題、または特定の時刻におけるランニングの質の向上／低下など、同様に時刻の構成要素を有してもよいことが理解される。したがって、ルートは、特定の時刻のためだけに推奨されてもよく、または異なる時刻に対する異なる質／安全性評価がユーザに利用可能になってもよい。本システムはさらに、推奨されたルートを提供するとき、またはある特定の分類若しくは定量的／定性的評価の情報、若しくは特定の他のユーザ（例えば、ユーザの友人、同様の興味および選好を有する他のユーザ、特定の性別の他のユーザなど）によって生成された情報などの情報をユーザに利用可能にするときに、選択された安全性および／または質の情報のみを使用するように構成されてもよい。本システムは交互に（alternately）、推奨されたルートを提供するときに、そのような選択された安全性および／または質の情報をより重くまたはより軽く加重するように構成されてもよい。例えば、女性ユーザは、他の女性ユーザによって生成された安全情報に基づき、ルート推奨を要求することができ、または眺めの良いルートを楽しむランナーは、同様の選好を有する他のユーザからの質の情報に基づき、ルート推奨を要求することができる。
【０１３７】
盗難防止
外部デバイス１００２が入力デバイス１０００に関連して使用し得る別の潜在的なアプリケーションまたは機能は、外部デバイス１００２の盗難または盗難未遂の場合に使用され得る、盗難防止アプリケーションである。例えば、入力デバイス１０００上の異なるボタンシーケンスは、盗難未遂の場合にアラームを生成し、他人によるアクセスを防止するためにデバイス１００２をロックし、デバイス１００２の位置を用いて法執行に関するアラートを生成し、デバイスの電源オフ若しくは非アクティブ化を防止してもよく、または他の盗難防止手段を行ってもよい。入力デバイス１０００に対する盗難防止機能の様々な制御機能が、ユーザ設定によって制御され得ることが理解される。
【０１３８】
安全情報システム、ルート推奨システム、および緊急アラートなどの上記のシステムおよびネットワークは、機能性の提供に関連して、他の既存のシステムにアクセスまたは通信してもよい。例えば、そのようなシステムは、公共または個人の緊急サービスと情報を交換してもよい（そのようなサービスから安全情報を集めること、および／またはそのようなサービスに緊急アラートを伝送すること）。そのような協調的な情報共有の他の例も同様に使用され得る。
【０１３９】
本明細書に記載される運動バンドおよび他の衣料品、筐体、およびモジュール様々な実施形態は、既存の技術と比較して利点を提供する。例えば、モジュールおよびそれが受容されるポケットの構成は、ユーザの皮膚にごく近接して生理学的センサを配置するように動作することができ、それは、ユーザの生理学的データを取り込むそのようなセンサの能力を強化することができる。別の例として、本明細書に記載されるバンドおよび／または筐体の構造は、本明細書に記載され、かつ／または当業者によって認識される利点の中でも特に、バンドを付属肢に引っ張って身に着け、かつ脱ぐことをより迅速かつより容易にするために、使用中のバンドの滑りを防止するのを補助するために、使用中に電子モジュールから離れた水分の通過を容易にするために、かつバンドの耐久性および洗浄性を高めるために、弾性材料の伸張を制御することができる。更なる例として、本明細書に記載される追加の入力デバイスは、外部デバイスとの通信および相互作用のための強化された能力、並びに競技大会または他の運動イベントの半ばでの、アスリートによるそのような外部デバイスの動き回りながらの操作および通信のための単純なインターフェイスを提供する。本明細書に記載される製造方法の様々な実施形態もまた、既存の技術と比較して利点を提供する。例えば、本明細書に記載されるバンドのための製造方法は、生産が効率的である耐久構造を作る。本明細書に記載されるモジュール、入力デバイス、および外部デバイスの操作のための様々な方法は、モジュールの性能監視動作を強化し、バンドおよびモジュールの使用に関連して強化された機能性をユーザに提供することができる。なお更なる利点は、当業者によって認識可能である。
【０１４０】
幾つかの代替の実施形態および実施例が本明細書に記載および例示されてきた。当業者は、個々の実施形態の特徴、並びに構成要素の考えられる組み合わせおよび変更を理解するであろう。当業者はさらに、実施形態のうちのいずれかが本明細書に開示される他の実施形態との任意の組み合わせで提供され得ることを理解するであろう。本発明が、その趣旨または中心となる特徴から逸脱することなく、他の特定の形態で具現化され得ることが理解される。したがって、本実施例および実施形態は、全ての態様において、制限的ではなく例示的なものとして見なされるものであり、本発明は、本明細書に示される詳細に限定されるものではない。本明細書で使用される場合、「第１の」、「第２の」、「頂部」、「底部」などの用語は、例示目的のみに向けられ、いかなる方法においても実施形態を制限しない。加えて、本明細書で使用される場合、「複数」という用語は、必要に応じて、最大で無限数まで、分離的または接続的のいずれかで２つ以上のいかなる数も示す。さらに、本明細書で使用される場合、物品または装置を「提供すること」は、広くは、物品上で実施される今後のアクションのために物品を利用可能またはアクセス可能にすることを指し、その物品を提供する関係者がその物品を製造、生産、若しくは供給したこと、またはその物品を提供する関係者がその物品の所有権若しくは管理権を有することを暗示しない。したがって、特定の実施形態が例示および記載されてきたが、本発明の趣旨から大きく逸脱することなく、多くの修正が思い浮かぶであろう。
【図１】
0006530490.tif 000002
【図２】
0006530490.tif 000003
【図３】
0006530490.tif 000004
【図４】
0006530490.tif 000005
【図５】
0006530490.tif 000006
【図６】
0006530490.tif 000007
【図７】
0006530490.tif 000008
【図８】
0006530490.tif 000009
【図９】
0006530490.tif 000010
【図１０】
0006530490.tif 000011
【図１１】
0006530490.tif 000012
【図１２】
0006530490.tif 000013
【図１３Ａ】
0006530490.tif 000014
【図１３Ｂ】
0006530490.tif 000015
【図１４】
0006530490.tif 000016
【図１５Ａ】
0006530490.tif 000017
【図１５Ｂ】
0006530490.tif 000018
【図１６】
0006530490.tif 000019
【図１７】
0006530490.tif 000020
【図１８】
0006530490.tif 000021
【図１９】
0006530490.tif 000022
【図２０】
0006530490.tif 000023
【図２１】
0006530490.tif 000024
【図２２】
0006530490.tif 000025
【図２３】
0006530490.tif 000026
【図２４】
0006530490.tif 000027
【図２５】
0006530490.tif 000028
【図２６】
0006530490.tif 000029
【図２７】
0006530490.tif 000030
【図２８】
0006530490.tif 000031
【図２９】
0006530490.tif 000032
【図３０】
0006530490.tif 000033
【図３１】
0006530490.tif 000034
【図３２】
0006530490.tif 000035
【図３３】
0006530490.tif 000036
【図３４】
0006530490.tif 000037
【図３５】
0006530490.tif 000038
【図３６】
0006530490.tif 000039
【図３７】
0006530490.tif 000040
【図３８】
0006530490.tif 000041
【図３９Ａ】
0006530490.tif 000042
【図３９Ｂ】
0006530490.tif 000043
【図４０Ａ】
0006530490.tif 000044
【図４０Ｂ】
0006530490.tif 000045
【図４１】
0006530490.tif 000046
【図４２】
0006530490.tif 000047
【図４３】
0006530490.tif 000048
【図４４】
0006530490.tif 000049
【図４５】
0006530490.tif 000050
【図４６】
0006530490.tif 000051
【図４７】
0006530490.tif 000052
【図４８】
0006530490.tif 000053
【図４９】
0006530490.tif 000054
【図５０】
0006530490.tif 000055
【図５１】
0006530490.tif 000056
【図５２】
0006530490.tif 000057
【図５３】
0006530490.tif 000058
【図５４】
0006530490.tif 000059
【図５５】
0006530490.tif 000060
【図５６】
0006530490.tif 000061
【図５７】
0006530490.tif 000062
【図５８】
0006530490.tif 000063
【図５９】
0006530490.tif 000064
【図６０】
0006530490.tif 000065
【図６１】
0006530490.tif 000066
【図６２】
0006530490.tif 000067
【図６３】
0006530490.tif 000068
【図６４】
0006530490.tif 000069
【図６５】
0006530490.tif 000070
【図６６】
0006530490.tif 000071
【図６７】
0006530490.tif 000072
【図６８】
0006530490.tif 000073
【図６９】
0006530490.tif 000074
【図７０Ａ】
0006530490.tif 000075
【図７０Ｂ】
0006530490.tif 000076
【図７０Ｃ】
0006530490.tif 000077
【図７１】
0006530490.tif 000078
【図７２】
0006530490.tif 000079
【図７３】
0006530490.tif 000080
【図７４】
0006530490.tif 000081
【図７５】
0006530490.tif 000082
【図７６】
0006530490.tif 000083
【図７７】
0006530490.tif 000084
【図７８】
0006530490.tif 000085
【図７９】
0006530490.tif 000086
【図８０】
0006530490.tif 000087
【図８１】
0006530490.tif 000088
【図８２】
0006530490.tif 000089
【図８３】
0006530490.tif 000090
【図８４】
0006530490.tif 000091
【図８５】
0006530490.tif 000092
【図８６】
0006530490.tif 000093
【図８７】
0006530490.tif 000094
【図８８】
0006530490.tif 000095
【図８９】
0006530490.tif 000096
【図９０】
0006530490.tif 000097
【図９１】
0006530490.tif 000098
【図９２】
0006530490.tif 000099
【図９３】
0006530490.tif 000100
【図９４】
0006530490.tif 000101
【図９５】
0006530490.tif 000102
【図９６】
0006530490.tif 000103
【図９６Ａ】
0006530490.tif 000104
【図９７】
0006530490.tif 000105
【図９８】
0006530490.tif 000106
【図９９】
0006530490.tif 000107
【図１００】
0006530490.tif 000108
【図１０１】
0006530490.tif 000109
【図１０２】
0006530490.tif 000110
【図１０３】
0006530490.tif 000111
【図１０４】
0006530490.tif 000112
【図１０５】
0006530490.tif 000113
【図１０６】
0006530490.tif 000114
【図１０７】
0006530490.tif 000115
【図１０８】
0006530490.tif 000116
【図１０９】
0006530490.tif 000117
【図１１０】
0006530490.tif 000118
【図１１１】
0006530490.tif 000119
【図１１２】
0006530490.tif 000120
【図１１３】
0006530490.tif 000121
【図１１４】
0006530490.tif 000122
【図１１５】
0006530490.tif 000123